(57)【要約】  本発明は、セル状況変更方法、ユーザ機器及び基地局を開示し、本方法は、ユーザ機器が、マスタ基地局の第1セルの状況変更を指示し、又はセカンダリ基地局の第2セルの状況変更の指示に使用され、マスタ基地局によって送信された第1指示を受信し、ユーザ機器が、第1指示に従って第1セルもしくは第2セルのアクティブ化を行い、又は第1指示に従って第1セルもしくは第2セルの非アクティブ化を行う。マスタ基地局とセカンダリ基地局はどちらもUEにサービスし、キャリアアグリゲーションを行い、UEは、第1指示を用いて、UEにサービスする基地局に属するサービングセルのアクティブ状態又は非アクティブ状態を獲得でき、アクティブ化又は非アクティブ化をすべてのサービングセル上で行える。これにより、キャリアアグリゲーション時に複数の基地局に属するサービングセルのアクティブ化又は非アクティブ化の管理が実現される。
2016526849.tif 000002
【特許請求の範囲】
【請求項１】
ユーザ機器がマスタ基地局によって送信された第1の指示を受信するステップであって、前記第1の指示は、前記マスタ基地局の第1のセルの状況変更を指示し、またはセカンダリ基地局の第2のセルの状況変更を指示するのに使用され、前記マスタ基地局と前記セカンダリ基地局はどちらも前記ユーザ機器にサービスし、キャリアアグリゲーションを行う、受信するステップと、
前記ユーザ機器が、前記第1の指示に従って前記第1のセルもしくは前記第2のセルのアクティブ化を行い、または前記第1の指示に従って前記第1のセルもしくは前記第2のセルの非アクティブ化を行うステップと
を含む、セル状況変更方法。
【請求項２】
前記第1の指示が、前記マスタ基地局の前記第1のセルの前記状況変更を指示するのに使用される場合に、前記ユーザ機器は前記第1の指示に従って前記第1のセルの前記アクティブ化または前記非アクティブ化を行い、前記セル状況変更方法は、
前記ユーザ機器が前記セカンダリ基地局によって送信された第2の指示を受信するステップであって、前記第2の指示は前記セカンダリ基地局の前記第2のセルの前記状況変更を指示するのに使用される、受信するステップと、
前記ユーザ機器が前記第2の指示に従って前記第2のセルの前記アクティブ化または前記非アクティブ化を行うステップと
をさらに含む、請求項1に記載のセル状況変更方法。
【請求項３】
前記ユーザ機器が前記第1の指示に従って前記第1のセルのアクティブ化または非アクティブ化を行う前記ステップは具体的には、
前記第1の指示が第1の媒体アクセス制御制御要素（Media Access Control control element（MAC  CE））である場合に、前記ユーザ機器が、前記第1のMAC  CE内の前記第1のセルの状況識別子に従って、前記第1のセルの前記アクティブ化または前記非アクティブ化を行うことを決定するステップ
を含み、前記ユーザ機器が前記第2の指示に従って前記第2のセルの前記アクティブ化または前記非アクティブ化を行う前記ステップは具体的には、
前記第2の指示が第2のMAC  CEである場合に、前記ユーザ機器が、前記第2のMAC  CE内の前記第2のセルの状況識別子に従って、前記第2のセルの前記アクティブ化または前記非アクティブ化を行うことを決定するステップ
を含む、請求項2に記載のセル状況変更方法。
【請求項４】
前記ユーザ機器が、前記第1のMAC  CE内の前記第1のセルの状況識別子に従って、前記第1のセルの前記アクティブ化または前記非アクティブ化を行うことを決定する前記ステップは具体的には、
前記ユーザ機器が、ビットマップ内のものであり、前記第1のMAC  CE内の前記第1のセルのセルインデックスに対応するビットに従って、前記第1のセルの前記アクティブ化または前記非アクティブ化を行うことを決定するステップ
を含み、前記ユーザ機器が、前記第2のMAC  CE内の前記第2のセルの状況識別子に従って、前記第2のセルの前記アクティブ化または前記非アクティブ化を行うことを決定する前記ステップは具体的には、
前記ユーザ機器が、ビットマップ内のものであり、前記第2のMAC  CE内の前記第2のセルのセルインデックスに対応するビットに従って、前記第2のセルの前記アクティブ化または前記非アクティブ化を行うことを決定するステップ
を含む、請求項3に記載のセル状況変更方法。
【請求項５】
前記第1のセルの前記セルインデックスおよび前記第2のセルの前記セルインデックスが、前記マスタ基地局および前記セカンダリ基地局によってそれぞれ付番され、または前記第1のセルの前記セルインデックスが前記第2のセルの前記セルインデックスと同じである場合に、前記セル状況変更方法は、
前記ユーザ機器が、前記受信された第1の指示に従って、前記第1のセルが前記マスタ基地局に対応することを識別し、前記第1のセルの前記セルインデックスに対応する前記ビットが有効であると決定するステップと、
前記ユーザ機器が、前記受信された第2の指示に従って、前記第2のセルが前記セカンダリ基地局に対応することを識別し、前記第2のセルの前記セルインデックスに対応する前記ビットが有効であると決定するステップと
をさらに含む、請求項4に記載のセル状況変更方法。
【請求項６】
前記第1の指示が前記マスタ基地局の前記第1のセルの前記状況変更を指示するのに使用される場合に、前記第1の指示は、前記セカンダリ基地局の前記第2のセルの前記状況変更を指示するのにさらに使用され、前記セル状況変更方法は、
ユーザ機器が、第1の指示に従って第1のセルのアクティブ化または非アクティブ化を行い、第1の指示に従って第2のセルのアクティブ化または非アクティブ化を行うステップ
をさらに含む、請求項1に記載のセル状況変更方法。
【請求項７】
前記ユーザ機器が、前記第1の指示に従って前記第1のセルの前記アクティブ化または前記非アクティブ化を行い、前記第1の指示に従って前記第2のセルの前記アクティブ化または前記非アクティブ化を行う前記ステップは具体的には、
前記第1の指示が媒体アクセス制御制御要素（MAC  CE）である場合に、前記ユーザ機器が、前記MAC  CE内の前記第1のセルの状況識別子に従って、前記第1のセルの前記アクティブ化または前記非アクティブ化を行うことを決定し、前記MAC  CE内の前記第2のセルの状況識別子に従って、前記第2のセルの前記アクティブ化または前記非アクティブ化を行うことを決定するステップ
を含む、請求項6に記載のセル状況変更方法。
【請求項８】
前記第1のセルのセルインデックスと前記第2のセルのセルインデックスの両方が前記マスタ基地局もしくは前記セカンダリ基地局によって付番され、または前記第1のセルのセルインデックスが前記第2のセルのセルインデックスと異なる場合に、
前記ユーザ機器が、前記MAC  CE内の前記第1のセルの状況識別子に従って、前記第1のセルの前記アクティブ化または前記非アクティブ化を行うことを決定する前記ステップは具体的には、
前記ユーザ機器が、ビットマップ内のものであり、前記MAC  CE内の前記第1のセルの前記セルインデックスに対応するビットに従って、前記第1のセルの前記アクティブ化または前記非アクティブ化を行うことを決定するステップ
を含み、前記ユーザ機器が、前記MAC  CE内の前記第2のセルの状況識別子に従って、前記第2のセルの前記アクティブ化または前記非アクティブ化を行うことを決定する前記ステップは具体的には、
前記ユーザ機器が、ビットマップ内のものであり、前記MAC  CE内の前記第2のセルの前記セルインデックスに対応するビットに従って、前記第2のセルの前記アクティブ化または前記非アクティブ化を行うことを決定するステップ
を含む、請求項7に記載のセル状況変更方法。
【請求項９】
前記MAC  CEは、前記第1のセルのセルインデックス、前記第2のセルのセルインデックス、前記第1の基地局の基地局識別情報、および前記第2の基地局の基地局識別情報をさらに含み、
前記ユーザ機器が、前記MAC  CE内の前記第1のセルの状況識別子に従って、前記第1のセルの前記アクティブ化または前記非アクティブ化を行うことを決定する前記ステップは具体的には、
前記ユーザ機器が、前記MAC  CE内のものである前記第1のセルの前記セルインデックス、前記第1の基地局の前記基地局識別情報、および前記第1のセルの前記状況識別子に従って、前記第1のセルの前記アクティブ化または前記非アクティブ化を行うことを決定するステップ
を含み、前記ユーザ機器が、前記MAC  CE内の前記第2のセルの状況識別子に従って、前記第2のセルの前記アクティブ化または前記非アクティブ化を行うことを決定する前記ステップは具体的には、
前記ユーザ機器が、前記MAC  CE内のものである前記第2のセルの前記セルインデックス、前記第2の基地局の前記基地局識別情報、および前記第2のセルの前記状況識別子に従って、前記第2のセルの前記アクティブ化または前記非アクティブ化を行うことを決定するステップ
を含む、請求項7に記載のセル状況変更方法。
【請求項１０】
ユーザ機器のマスタ基地局が第1の指示を生成するステップであって、前記第1の指示は、前記マスタ基地局の第1のセルの状況変更を指示し、またはセカンダリ基地局の第2のセルの状況変更を指示するのに使用され、前記マスタ基地局と前記セカンダリ基地局はどちらも前記ユーザ機器にサービスし、キャリアアグリゲーションを行う、生成するステップと、
前記ユーザ機器が、前記第1の指示に従って前記第1のセルもしくは前記第2のセルのアクティブ化を行い、または前記第1の指示に従って前記第1のセルもしくは前記第2のセルの非アクティブ化を行うように、前記マスタ基地局が前記第1の指示を前記ユーザ機器へ送信するステップと
を含む、セル状況変更方法。
【請求項１１】
前記第1の指示は第1の媒体アクセス制御制御要素（MAC  CE）であり、そのため、前記ユーザ機器は前記第1のMAC  CE内の前記第1のセルの状況識別子に従って、前記第1のセルの前記アクティブ化または前記非アクティブ化を行うことを決定し、前記ユーザ機器は、第2の指示として働き、前記セカンダリ基地局によって送信される第2のMAC  CEをさらに受信し、そのため、前記ユーザ機器は、前記第2のMAC  CE内の前記第2のセルの状況識別子に従って、前記第2のセルの前記アクティブ化または前記非アクティブ化を行うことを決定する、請求項10に記載のセル状況変更方法。
【請求項１２】
前記マスタ基地局が前記マスタ基地局の前記第1のセルのセルインデックスに付番するステップであって、前記第1のセルの前記セルインデックスは、前記第2のセルのために前記セカンダリ基地局によって付番されるセルインデックスと同じであり、または異なり、そのため、前記ユーザ機器は、前記受信された第1の指示に従って前記第1のセルが前記マスタ基地局に対応することを識別し、前記第1のセルの前記セルインデックスに対応するビットが有効であると決定し、前記受信された第2の指示に従って前記第2のセルが前記セカンダリ基地局に対応することを識別し、前記第2のセルの前記セルインデックスに対応するビットが有効であると決定する、付番するステップ
をさらに含む、請求項11に記載のセル状況変更方法。
【請求項１３】
前記第1の指示は、前記セカンダリ基地局の前記第2のセルの前記状況変更を指示するのにさらに使用され、そのため、前記ユーザ機器は前記第1の指示に従って前記第2のセルの前記アクティブ化または前記非アクティブ化を行う、請求項10に記載のセル状況変更方法。
【請求項１４】
前記第1の指示は第1の媒体アクセス制御制御要素（MAC  CE）であり、そのため、前記ユーザ機器は、前記MAC  CE内の前記第1のセルの状況識別子に従って、前記第1のセルの前記アクティブ化または前記非アクティブ化を行うことを決定し、前記MAC  CE内の前記第2のセルの状況識別子に従って、前記第2のセルの前記アクティブ化または前記非アクティブ化を行うことを決定する、請求項13に記載のセル状況変更方法。
【請求項１５】
前記ユーザ機器が、ビットマップ内のものであり、前記MAC  CE内の前記第1のセルのセルインデックスに対応するビットに従って、前記第1のセルの前記アクティブ化または前記非アクティブ化を行うことを決定し、ビットマップ内のものであり、前記MAC  CE内の前記第2のセルのセルインデックスに対応するビットに従って、前記第2のセルの前記アクティブ化または前記非アクティブ化を行うことを決定するように、前記マスタ基地局が前記第1のセルの前記セルインデックスと前記第2のセルの前記セルインデックスの両方に付番するステップ
をさらに含む、請求項14に記載のセル状況変更方法。
【請求項１６】
前記MAC  CEは、前記第1のセルのセルインデックス、前記第2のセルのセルインデックス、前記第1の基地局の基地局識別情報、および前記第2の基地局の基地局識別情報をさらに含み、そのため、前記ユーザ機器は、前記MAC  CE内のものである前記第1のセルの前記セルインデックス、前記第1の基地局の前記基地局識別情報、および前記第1のセルの前記状況識別子に従って、前記第1のセルの前記アクティブ化または前記非アクティブ化を行うことを決定し、前記MAC  CE内のものである前記第2のセルの前記セルインデックス、前記第2の基地局の前記基地局識別情報、および前記第2のセルの前記状況識別子に従って、前記第2のセルの前記アクティブ化または前記非アクティブ化を行うことを決定する、請求項14に記載のセル状況変更方法。
【請求項１７】
マスタ基地局によって送信される第1の指示を受信する受信部であって、前記第1の指示は前記マスタ基地局の第1のセルの状況変更を指示し、またはセカンダリ基地局の第2のセルの状況変更を指示するのに使用され、前記マスタ基地局と前記セカンダリ基地局はどちらもユーザ機器にサービスし、キャリアアグリゲーションを行う、受信部と、
前記受信部によって受信される前記第1の指示に従って前記第1のセルもしくは前記第2のセルのアクティブ化を行い、または前記受信部によって受信される前記第1の指示に従って前記第1のセルもしくは前記第2のセルの非アクティブ化を行う、実行部と
を含む、ユーザ機器。
【請求項１８】
前記受信部はさらに、前記受信される第1の指示が前記マスタ基地局の前記第1のセルの前記状況変更を指示するのに使用される場合に、前記セカンダリ基地局によって送信される第2の指示を受信し、前記第2の指示は、前記セカンダリ基地局の前記第2のセルの前記状況変更を指示するのに使用され、
前記実行部はさらに、前記受信部によって受信される前記第1の指示に従って前記第1のセルの前記アクティブ化または前記非アクティブ化を行うときに、前記受信部によって受信される前記第2の指示に従って前記第2のセルのアクティブ化または非アクティブ化を行う、請求項17に記載のユーザ機器。
【請求項１９】
前記実行部は具体的には、前記第1の指示が第1の媒体アクセス制御制御要素（MAC  CE）である場合に、前記第1のMAC  CE内の前記第1のセルの状況識別子に従って、前記第1のセルの前記アクティブ化または前記非アクティブ化を行うことを決定し、前記第2の指示が第2のMAC  CEである場合に、前記第2のMAC  CE内の前記第2のセルの状況識別子に従って、前記第2のセルの前記アクティブ化または前記非アクティブ化を行うことを決定する、請求項18に記載のユーザ機器。
【請求項２０】
前記実行部は具体的には、ビットマップ内のものであり、前記第1のMAC  CE内の前記第1のセルのセルインデックスに対応するビットに従って、前記第1のセルの前記アクティブ化または前記非アクティブ化を行うことを決定し、ビットマップ内のものであり、前記第2のMAC  CE内の前記第2のセルのセルインデックスに対応するビットに従って、前記第2のセルの前記アクティブ化または前記非アクティブ化を行うことを決定する、請求項19に記載のユーザ機器。
【請求項２１】
前記第1のセルの前記セルインデックスおよび前記第2のセルの前記セルインデックスが、前記マスタ基地局および前記セカンダリ基地局によってそれぞれ付番され、または前記第1のセルの前記セルインデックスが前記第2のセルの前記セルインデックスと同じである場合に、前記受信部によって受信される前記第1の指示に従って、前記第1のセルが前記マスタ基地局に対応することを識別し、前記第1のセルの前記セルインデックスに対応する前記ビットが有効であると決定し、前記受信部によって受信される前記第2の指示に従って、前記第2のセルが前記セカンダリ基地局に対応することを識別し、前記第2のセルの前記セルインデックスに対応する前記ビットが有効であると決定する、識別部
をさらに含む、請求項20に記載のユーザ機器。
【請求項２２】
前記受信部によって受信される前記第1の指示が前記マスタ基地局の前記第1のセルの前記状況変更を指示する場合に、前記第1の指示は、前記セカンダリ基地局の前記第2のセルの前記状況変更を指示するのにさらに使用され、
前記実行部はさらに、前記受信部によって受信される前記第1の指示に従って前記第1のセルの前記アクティブ化または前記非アクティブ化を行い、前記第1の指示に従って前記第2のセルの前記アクティブ化または前記非アクティブ化を行う、請求項17に記載のユーザ機器。
【請求項２３】
前記実行部は具体的には、前記第1の指示が媒体アクセス制御制御要素（MAC  CE）である場合に、前記MAC  CE内の前記第1のセルの状況識別子に従って、前記第1のセルの前記アクティブ化または前記非アクティブ化を行うことを決定し、前記MAC  CE内の前記第2のセルの状況識別子に従って、前記第2のセルの前記アクティブ化または前記非アクティブ化を行うことを決定する、請求項22に記載のユーザ機器。
【請求項２４】
前記実行部は具体的には、前記第1のセルのセルインデックスと前記第2のセルのセルインデックスの両方が前記マスタ基地局もしくは前記セカンダリ基地局によって付番され、または前記第1のセルのセルインデックスが前記第2のセルのセルインデックスと異なる場合に、ビットマップ内のものであり、前記MAC  CE内の前記第1のセルの前記セルインデックスに対応するビットに従って、前記第1のセルの前記アクティブ化または前記非アクティブ化を行うことを決定し、ビットマップ内のものであり、前記MAC  CE内の前記第2のセルの前記セルインデックスに対応するビットに従って、前記第2のセルの前記アクティブ化または前記非アクティブ化を行うことを決定する、請求項23に記載のユーザ機器。
【請求項２５】
前記受信部によって受信される前記MAC  CEは、前記第1のセルのセルインデックス、前記第2のセルのセルインデックス、前記第1の基地局の基地局識別情報、および前記第2の基地局の基地局識別情報をさらに含み、
前記実行部は具体的には、前記MAC  CE内のものである前記第1のセルの前記セルインデックス、前記第1の基地局の前記基地局識別情報、および前記第1のセルの前記状況識別子に従って、前記第1のセルの前記アクティブ化または前記非アクティブ化を行うことを決定し、前記MAC  CE内のものである前記第2のセルの前記セルインデックス、前記第2の基地局の前記基地局識別情報、および前記第2のセルの前記状況識別子に従って、前記第2のセルの前記アクティブ化または前記非アクティブ化を行うことを決定する、請求項23に記載のユーザ機器。
【請求項２６】
ユーザ機器のマスタ基地局として働く基地局であって、
第1の指示を生成する生成部であって、前記第1の指示は、前記マスタ基地局の第1のセルの状況変更を指示し、またはセカンダリ基地局の第2のセルの状況変更を指示するのに使用され、前記マスタ基地局と前記セカンダリ基地局はどちらも前記ユーザ機器にサービスし、キャリアアグリゲーションを行う、生成部と、
前記ユーザ機器が、前記第1の指示に従って前記第1のセルもしくは前記第2のセルのアクティブ化を行い、または前記第1の指示に従って前記第1のセルもしくは前記第2のセルの非アクティブ化を行うように、前記生成部によって生成される前記第1の指示を前記ユーザ機器へ送信する、送信部と
を含む、基地局。
【請求項２７】
前記生成部によって生成される前記第1の指示は第1の媒体アクセス制御制御要素（MAC  CE）であり、そのため、前記ユーザ機器は前記第1のMAC  CE内の前記第1のセルの状況識別子に従って、前記第1のセルの前記アクティブ化または前記非アクティブ化を行うことを決定し、前記ユーザ機器は、第2の指示として働き、前記セカンダリ基地局によって送信される第2のMAC  CEをさらに受信し、そのため、前記ユーザ機器は、前記第2のMAC  CE内の前記第2のセルの状況識別子に従って、前記第2のセルの前記アクティブ化または前記非アクティブ化を行うことを決定する、請求項26に記載の基地局。
【請求項２８】
前記マスタ基地局の前記第1のセルのセルインデックスに付番する第1の付番部であって、前記第1のセルの前記セルインデックスは、前記第2のセルのために前記セカンダリ基地局によって付番されるセルインデックスと同じであり、または異なり、そのため、前記ユーザ機器は、前記受信される前記第1の指示に従って前記第1のセルが前記マスタ基地局に対応することを識別し、第1のセルのセルインデックスに対応するビットが有効であると決定し、前記受信される前記第2の指示に従って前記第2のセルが前記セカンダリ基地局に対応することを識別し、前記第2のセルの前記セルインデックスに対応するビットが有効であると決定する、第1の付番部
をさらに含む、請求項27に記載の基地局。
【請求項２９】
前記生成部によって生成される前記第1の指示は、前記セカンダリ基地局の前記第2のセルの前記状況変更を指示するのにさらに使用され、そのため、前記ユーザ機器は前記第1の指示に従って前記第2のセルの前記アクティブ化または前記非アクティブ化を行う、請求項26に記載の基地局。
【請求項３０】
前記生成部によって生成される前記第1の指示は第1の媒体アクセス制御制御要素（MAC  CE）であり、そのため、前記ユーザ機器は、前記MAC  CE内の前記第1のセルの状況識別子に従って、前記第1のセルのアクティブ化または前記非アクティブ化を行うことを決定し、前記MAC  CE内の前記第2のセルの状況識別子に従って、前記第2のセルの前記アクティブ化または前記非アクティブ化を行うことを決定する、請求項29に記載の基地局。
【請求項３１】
前記ユーザ機器が、ビットマップ内のものであり、前記MAC  CE内の前記第1のセルのセルインデックスに対応するビットに従って、前記第1のセルの前記アクティブ化または前記非アクティブ化を行うことを決定し、ビットマップ内のものであり、前記MAC  CE内の前記第2のセルのセルインデックスに対応するビットに従って、前記第2のセルの前記アクティブ化または前記非アクティブ化を行うことを決定するように、前記第1のセルの前記セルインデックスと前記第2のセルの前記セルインデックスの両方に付番する、第2の付番部
をさらに含む、請求項30に記載の基地局。
【請求項３２】
前記生成部によって生成される前記MAC  CEは、前記第1のセルのセルインデックス、前記第2のセルのセルインデックス、前記第1の基地局の基地局識別情報、および前記第2の基地局の基地局識別情報をさらに含み、そのため、前記ユーザ機器は、前記MAC  CE内のものである前記第1のセルの前記セルインデックス、前記第1の基地局の前記基地局識別情報、および前記第1のセルの前記状況識別子に従って、前記第1のセルの前記アクティブ化または前記非アクティブ化を行うことを決定し、前記MAC  CE内のものである前記第2のセルの前記セルインデックス、前記第2の基地局の前記基地局識別情報、および前記第2のセルの前記状況識別子に従って、前記第2のセルの前記アクティブ化または前記非アクティブ化を行うことを決定する、請求項30に記載の基地局。
【請求項３３】
無線送受信機とプロセッサとを含むユーザ機器であって、
前記無線送受信機は、マスタ基地局によって送信される第1の指示を受信し、前記第1の指示は、前記マスタ基地局の第1のセルの状況変更を指示し、またはセカンダリ基地局の第2のセルの状況変更を指示するのに使用され、前記マスタ基地局と前記セカンダリ基地局はどちらも前記ユーザ機器にサービスし、キャリアアグリゲーションを行い、
前記プロセッサは、前記第1の指示に従って前記第1のセルもしくは前記第2のセルのアクティブ化を行い、または前記第1の指示に従って前記第1のセルもしくは前記第2のセルの非アクティブ化を行う、ユーザ機器。
【請求項３４】
前記無線送受信機はさらに、前記受信される第1の指示が前記マスタ基地局の前記第1のセルの前記状況変更を指示するのに使用される場合に、前記セカンダリ基地局によって送信される第2の指示を受信し、前記第2の指示は、前記セカンダリ基地局の前記第2のセルの前記状況変更を指示するのに使用され、
前記プロセッサはさらに、前記第1の指示に従って前記第1のセルの前記アクティブ化または前記非アクティブ化を行うときに、前記第2の指示に従って前記第2のセルの前記アクティブ化または前記非アクティブ化を行う、請求項33に記載のユーザ機器。
【請求項３５】
前記プロセッサは具体的には、前記第1の指示が第1の媒体アクセス制御制御要素（MAC  CE）である場合に、前記第1のMAC  CE内の前記第1のセルの状況識別子に従って、前記第1のセルの前記アクティブ化または前記非アクティブ化を行うことを決定し、前記第2の指示が第2のMAC  CEである場合に、前記第2のMAC  CE内の前記第2のセルの状況識別子に従って、前記第2のセルの前記アクティブ化または前記非アクティブ化を行うことを決定する、請求項34に記載のユーザ機器。
【請求項３６】
前記プロセッサは具体的には、ビットマップ内のものであり、前記第1のMAC  CE内の前記第1のセルのセルインデックスに対応するビットに従って、前記第1のセルの前記アクティブ化または前記非アクティブ化を行うことを決定し、ビットマップ内のものであり、前記第2のMAC  CE内の第2のセルのセルインデックスに対応するビットに従って、前記第2のセルの前記アクティブ化または前記非アクティブ化を行うことを決定する、請求項35に記載のユーザ機器。
【請求項３７】
前記プロセッサはさらに、前記第1のセルの前記セルインデックスおよび前記第2のセルの前記セルインデックスが、前記マスタ基地局および前記セカンダリ基地局によってそれぞれ付番され、または前記第1のセルの前記セルインデックスが前記第2のセルの前記セルインデックスと同じである場合に、前記第1の指示に従って、前記第1のセルが前記マスタ基地局に対応することを識別し、前記第1のセルの前記セルインデックスに対応する前記ビットが有効であると決定し、前記第2の指示に従って、前記第2のセルが前記セカンダリ基地局に対応することを識別し、前記第2のセルの前記セルインデックスに対応する前記ビットが有効であると決定する、請求項36に記載のユーザ機器。
【請求項３８】
前記無線送受信機によって受信される前記第1の指示が前記マスタ基地局の前記第1のセルの前記状況変更を指示する場合に、前記第1の指示は、前記セカンダリ基地局の前記第2のセルの前記状況変更を指示するのにさらに使用され、
前記プロセッサはさらに、前記第1の指示に従って前記第1のセルの前記アクティブ化または前記非アクティブ化を行い、前記第1の指示に従って前記第2のセルの前記アクティブ化または前記非アクティブ化を行う、請求項33に記載のユーザ機器。
【請求項３９】
前記プロセッサは具体的には、前記第1の指示が媒体アクセス制御制御要素（MAC  CE）である場合に、前記MAC  CE内の前記第1のセルの状況識別子に従って、前記第1のセルの前記アクティブ化または前記非アクティブ化を行うことを決定し、前記MAC  CE内の前記第2のセルの状況識別子に従って、前記第2のセルの前記アクティブ化または前記非アクティブ化を行うことを決定する、請求項38に記載のユーザ機器。
【請求項４０】
前記プロセッサは具体的には、前記第1のセルのセルインデックスと前記第2のセルのセルインデックスの両方が前記マスタ基地局もしくは前記セカンダリ基地局によって付番され、または前記第1のセルのセルインデックスが前記第2のセルのセルインデックスと異なる場合に、ビットマップ内のものであり、前記MAC  CE内の前記第1のセルの前記セルインデックスに対応するビットに従って、前記第1のセルの前記アクティブ化または前記非アクティブ化を行うことを決定し、ビットマップ内のものであり、前記MAC  CE内の前記第2のセルの前記セルインデックスに対応するビットに従って、前記第2のセルの前記アクティブ化または前記非アクティブ化を行うことを決定する、請求項39に記載のユーザ機器。
【請求項４１】
前記無線送受信機によって受信される前記MAC  CEは、前記第1のセルのセルインデックス、前記第2のセルのセルインデックス、前記第1の基地局の基地局識別情報、および前記第2の基地局の基地局識別情報をさらに含み、
前記プロセッサは具体的には、前記MAC  CE内のものである前記第1のセルの前記セルインデックス、前記第1の基地局の前記基地局識別情報、および前記第1のセルの前記状況識別子に従って、前記第1のセルの前記アクティブ化または前記非アクティブ化を行うことを決定し、前記MAC  CE内のものである前記第2のセルの前記セルインデックス、前記第2の基地局の前記基地局識別情報、および前記第2のセルの前記状況識別子に従って、前記第2のセルの前記アクティブ化または前記非アクティブ化を行うことを決定する、請求項39に記載のユーザ機器。
【請求項４２】
ユーザ機器のマスタ基地局として働き、送受信機とプロセッサとを含む基地局であって、
前記プロセッサは第1の指示を生成し、前記第1の指示は、前記マスタ基地局の第1のセルの状況変更を指示し、またはセカンダリ基地局の第2のセルの状況変更を指示するのに使用され、前記マスタ基地局と前記セカンダリ基地局はどちらも前記ユーザ機器にサービスし、キャリアアグリゲーションを行い、
前記送受信機は、前記ユーザ機器が、前記第1の指示に従って前記第1のセルもしくは前記第2のセルのアクティブ化を行い、または前記第1の指示に従って前記第1のセルもしくは前記第2のセルの非アクティブ化を行うように、前記第1の指示を前記ユーザ機器へ送信する、基地局。
【請求項４３】
前記プロセッサによって生成される前記第1の指示は第1の媒体アクセス制御制御要素（MAC  CE）であり、そのため、前記ユーザ機器は前記第1のMAC  CE内の前記第1のセルの状況識別子に従って、前記第1のセルの前記アクティブ化または前記非アクティブ化を行うことを決定し、前記ユーザ機器は、第2の指示として働き、前記セカンダリ基地局によって送信される第2のMAC  CEをさらに受信し、そのため、前記ユーザ機器は、前記第2のMAC  CE内の前記第2のセルの状況識別子に従って、前記第2のセルの前記アクティブ化または前記非アクティブ化を行うことを決定する、請求項42に記載の基地局。
【請求項４４】
前記プロセッサはさらに、前記マスタ基地局の前記第1のセルのセルインデックスに付番し、前記第1のセルの前記セルインデックスは、前記第2のセルのために前記セカンダリ基地局によって付番されるセルインデックスと同じであり、または異なり、そのため、前記ユーザ機器は、前記受信される第1の指示に従って前記第1のセルが前記マスタ基地局に対応することを識別し、前記第1のセルの前記セルインデックスに対応するビットが有効であると決定し、前記受信される第2の指示に従って前記第2のセルが前記セカンダリ基地局に対応することを識別し、前記第2のセルの前記セルインデックスに対応するビットが有効であると決定する、請求項43に記載の基地局。
【請求項４５】
前記プロセッサによって生成される前記第1の指示は、前記セカンダリ基地局の前記第2のセルの前記状況変更を指示するのにさらに使用され、そのため、前記ユーザ機器は前記第1の指示に従って前記第2のセルの前記アクティブ化または前記非アクティブ化を行う、請求項42に記載の基地局。
【請求項４６】
前記プロセッサによって生成される前記第1の指示は第1の媒体アクセス制御制御要素（MAC  CE）であり、そのため、前記ユーザ機器は、前記MAC  CE内の前記第1のセルの状況識別子に従って、前記第1のセルの前記アクティブ化または前記非アクティブ化を行うことを決定し、前記MAC  CE内の前記第2のセルの状況識別子に従って、前記第2のセルの前記アクティブ化または前記非アクティブ化を行うことを決定する、請求項45に記載の基地局。
【請求項４７】
前記プロセッサはさらに、前記第1のセルのセルインデックスと前記第2のセルのセルインデックスの両方に付番し、そのため、前記ユーザ機器は、ビットマップ内のものであり、前記MAC  CE内の前記第1のセルの前記セルインデックスに対応するビットに従って、前記第1のセルの前記アクティブ化または前記非アクティブ化を行うことを決定し、ビットマップ内のものであり、前記MAC  CE内の前記第2のセルの前記セルインデックスに対応するビットに従って、前記第2のセルの前記アクティブ化または前記非アクティブ化を行うことを決定する、請求項46に記載の基地局。
【請求項４８】
前記プロセッサによって生成される前記MAC  CEは、前記第1のセルのセルインデックス、前記第2のセルのセルインデックス、前記第1の基地局の基地局識別情報、および前記第2の基地局の基地局識別情報をさらに含み、そのため、前記ユーザ機器は、前記MAC  CE内のものである前記第1のセルの前記セルインデックス、前記第1の基地局の前記基地局識別情報、および前記第1のセルの前記状況識別子に従って、前記第1のセルの前記アクティブ化または前記非アクティブ化を行うことを決定し、前記MAC  CE内のものである前記第2のセルの前記セルインデックス、前記第2の基地局の前記基地局識別情報、および前記第2のセルの前記状況識別子に従って、前記第2のセルの前記アクティブ化または前記非アクティブ化を行うことを決定する、請求項46に記載の基地局。
【発明の詳細な説明】
【技術分野】
【０００１】
本発明は通信技術の分野に関し、詳細には、セル状況変更方法、ユーザ機器（User Equipment、UE）、および基地局に関する。
【背景技術】
【０００２】
通信システムのスペクトル効率およびユーザスループットを向上させるために、セルアグリゲーション技術とも呼ばれるキャリアアグリゲーション（Carrier Aggregation、CA）技術が、ロング・ターム・エボルーション・アドバンスト（Advanced Long Term Evolution、LTE-A）システムに導入される。CA技術は、高速データ伝送を実現するように、UEが複数のセルを用いてアップリンク通信とダウンリンク通信を同時に行うことを可能にする。
【０００３】
先行技術には、基地局内部のCAが含まれる。すなわち、1台のUEについてそのUEによって集約されるサービングセルがすべて同じ基地局に属し、当該基地局は、基地局に属するサービングセルをアクティブ化し、または非アクティブ化するように、アクティブ化コマンドまたは非アクティブ化コマンドをUEへ送付する。しかし、基地局間のCAでは、1台のUEによって集約されるサービングセルが異なる基地局に属する場合もあり、異なる基地局中の1台の基地局が、一般に、UEのマスタ基地局として働き、別の基地局がUEのセカンダリ基地局として働く。キャリアアグリゲーション時に複数の基地局に属するサービングセルのアクティブ化または非アクティブ化をどのように管理すべきかが、本業界において解決が期待される問題である。
【発明の概要】
【課題を解決するための手段】
【０００４】
本発明の実施形態は、キャリアアグリゲーション時に複数の基地局に属するサービングセルのアクティブ化または非アクティブ化を管理するように、セル状況変更方法、UE、および基地局を提供する。
【０００５】
前述の技術的問題を解決するために、本発明の実施形態においては以下の技術的解決策が開示される。
【０００６】
第1の態様によれば、セル状況変更方法が提供され、本方法は、
ユーザ機器がマスタ基地局によって送信された第1の指示を受信するステップであって、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う、受信するステップと、
ユーザ機器が、第1の指示に従って第1のセルもしくは第2のセルのアクティブ化を行い、または第1の指示に従って第1のセルもしくは第2のセルの非アクティブ化を行うステップと
を含む。
【０００７】
第1の態様に関連して、第1の態様の第1の可能な実施態様において、第1の指示が、マスタ基地局の第1のセルの状況変更を指示するのに使用される場合に、ユーザ機器は第1の指示に従って第1のセルのアクティブ化または非アクティブ化を行い、本方法は、
ユーザ機器がセカンダリ基地局によって送信された第2の指示を受信するステップであって、第2の指示はセカンダリ基地局の第2のセルの状況変更を指示するのに使用される、受信するステップと、
ユーザ機器が第2の指示に従って第2のセルのアクティブ化または非アクティブ化を行うステップと
をさらに含む。
【０００８】
第1の態様の第1の可能な実施態様に関連して、第1の態様の第2の可能な実施態様において、ユーザ機器が第1の指示に従って第1のセルのアクティブ化または非アクティブ化を行うステップは具体的には、
第1の指示が第1の媒体アクセス制御制御要素（MAC  CE）である場合に、ユーザ機器が、第1のMAC  CE内の第1のセルの状況識別子に従って、第1のセルのアクティブ化または非アクティブ化を行うことを決定するステップ
を含み、ユーザ機器が第2の指示に従って第2のセルのアクティブ化または非アクティブ化を行うステップは具体的には、
第2の指示が第2のMAC  CEである場合に、ユーザ機器が、第2のMAC  CE内の第2のセルの状況識別子に従って、第2のセルのアクティブ化または非アクティブ化を行うことを決定するステップ
を含む。
【０００９】
第1の態様の第2の可能な実施態様に関連して、第1の態様の第3の可能な実施態様において、ユーザ機器が、第1のMAC  CE内の第1のセルの状況識別子に従って、第1のセルのアクティブ化または非アクティブ化を行うことを決定するステップは具体的には、
ユーザ機器が、ビットマップ内のものであり、第1のMAC  CE内の第1のセルのセルインデックスに対応するビットに従って、第1のセルのアクティブ化または非アクティブ化を行うことを決定するステップ
を含み、ユーザ機器が、第2のMAC  CE内の第2のセルの状況識別子に従って、第2のセルのアクティブ化または非アクティブ化を行うことを決定するステップは具体的には、
ユーザ機器が、ビットマップ内のものであり、第2のMAC  CE内の第2のセルのセルインデックスに対応するビットに従って、第2のセルのアクティブ化または非アクティブ化を行うことを決定するステップ
を含む。
【００１０】
第1の態様の第3の可能な実施態様に関連して、第1の態様の第4の可能な実施態様において、第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、本方法は、
ユーザ機器が、受信された第1の指示に従って、第1のセルがマスタ基地局に対応することを識別し、第1のセルのセルインデックスに対応するビットが有効であると決定するステップと、
ユーザ機器が、受信された第2の指示に従って、第2のセルがセカンダリ基地局に対応することを識別し、第2のセルのセルインデックスに対応するビットが有効であると決定するステップと
をさらに含む。
【００１１】
第1の態様に関連して、第1の態様の第5の可能な実施態様において、第1の指示がマスタ基地局の第1のセルの状況変更を指示するのに使用される場合に、第1の指示は、セカンダリ基地局の第2のセルの状況変更を指示するのにさらに使用され、本方法は、
ユーザ機器が、第1の指示に従って第1のセルのアクティブ化または非アクティブ化を行い、第1の指示に従って第2のセルのアクティブ化または非アクティブ化を行うステップ
をさらに含む。
【００１２】
第1の態様の第5の可能な実施態様に関連して、第1の態様の第6の可能な実施態様において、ユーザ機器が、第1の指示に従って第1のセルのアクティブ化または非アクティブ化を行い、第1の指示に従って第2のセルのアクティブ化または非アクティブ化を行うステップは具体的には、
第1の指示が媒体アクセス制御制御要素（MAC  CE）である場合に、ユーザ機器が、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定するステップ
を含む。
【００１３】
第1の態様の第6の可能な実施態様に関連して、第1の態様の第7の可能な実施態様において、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、
ユーザ機器が、MAC  CE内の第1のセルの状況識別子に従って、第1のセルのアクティブ化または非アクティブ化を行うことを決定するステップは具体的には、
ユーザ機器が、ビットマップ内のものであり、MAC  CE内の第1のセルのセルインデックスに対応するビットに従って、第1のセルのアクティブ化または非アクティブ化を行うことを決定するステップ
を含み、ユーザ機器が、MAC  CE内の第2のセルの状況識別子に従って、第2のセルのアクティブ化または非アクティブ化を行うことを決定するステップは具体的には、
ユーザ機器が、ビットマップ内のものであり、MAC  CE内の第2のセルのセルインデックスに対応するビットに従って、第2のセルのアクティブ化または非アクティブ化を行うことを決定するステップ
を含む。
【００１４】
第1の態様の第6の可能な実施態様に関連して、第1の態様の第8の可能な実施態様において、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、
ユーザ機器が、MAC  CE内の第1のセルの状況識別子に従って、第1のセルのアクティブ化または非アクティブ化を行うことを決定するステップは具体的には、
ユーザ機器が、ビットマップ内のものであり、MAC  CE内の第1のセルのセルインデックスに対応するビットに従って、第1のセルのアクティブ化または非アクティブ化を行うことを決定するステップ
を含み、ユーザ機器が、MAC  CE内の第2のセルの状況識別子に従って、第2のセルのアクティブ化または非アクティブ化を行うことを決定するステップは具体的には、
ユーザ機器が、ビットマップ内のものであり、MAC  CE内の第2のセルのセルインデックスに対応するビットに従って、第2のセルのアクティブ化または非アクティブ化を行うことを決定するステップ
を含む。
【００１５】
第2の態様によれば、セル状況変更方法が提供され、本方法は、
ユーザ機器のマスタ基地局が第1の指示を生成するステップであって、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う、生成するステップと、
ユーザ機器が、第1の指示に従って第1のセルもしくは第2のセルのアクティブ化を行い、または第1の指示に従って第1のセルもしくは第2のセルの非アクティブ化を行うように、マスタ基地局が第1の指示をユーザ機器へ送信するステップと
を含む。
【００１６】
第2の態様に関連して、第2の態様の第1の可能な実施態様において、第1の指示は第1の媒体アクセス制御制御要素であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【００１７】
第2の態様の第1の可能な実施態様に関連して、第2の態様の第2の可能な実施態様において、本方法は、
マスタ基地局がマスタ基地局の第1のセルのセルインデックスに付番するステップであって、第1のセルのセルインデックスは、第2のセルのためにセカンダリ基地局によって付番されるセルインデックスと同じであり、または異なり、そのため、ユーザ機器は、受信された第1の指示に従って第1のセルがマスタ基地局に対応することを識別し、第1のセルのセルインデックスに対応するビットが有効であると決定し、受信された第2の指示に従って第2のセルがセカンダリ基地局に対応することを識別し、第2のセルのセルインデックスに対応するビットが有効であると決定する、付番するステップ
をさらに含む。
【００１８】
第2の態様に関連して、第2の態様の第3の可能な実施態様において、第1の指示は、セカンダリ基地局の第2のセルの状況変更を指示するのにさらに使用され、そのため、ユーザ機器は第1の指示に従って第2のセルのアクティブ化または非アクティブ化を行う。
【００１９】
第2の態様の第3の可能な実施態様に関連して、第2の態様の第4の可能な実施態様において、第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００２０】
第2の態様の第4の可能な実施態様に関連して、第2の態様の第5の可能な実施態様において、本方法は、
ユーザ機器が、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定するように、マスタ基地局が第1のセルのセルインデックスと第2のセルのセルインデックスの両方に付番するステップ
をさらに含む。
【００２１】
第2の態様の第4の可能な実施態様に関連して、第2の態様の第6の可能な実施態様において、MAC  CEは、第1のセルのセルインデックス、第2のセルのセルインデックス、第1の基地局の基地局識別情報、および第2の基地局の基地局識別情報をさらに含み、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００２２】
第3の態様によれば、ユーザ機器が提供され、本ユーザ機器は、
マスタ基地局によって送信される第1の指示を受信する受信部であって、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う、受信部と、
受信部によって受信される第1の指示に従って第1のセルもしくは第2のセルのアクティブ化を行い、または受信部によって受信される第1の指示に従って第1のセルもしくは第2のセルの非アクティブ化を行う、実行部と
を含む。
【００２３】
第3の態様に関連して、第1の態様の第3の可能な実施態様において、受信部はさらに、受信される第1の指示がマスタ基地局の第1のセルの状況変更を指示するのに使用される場合に、セカンダリ基地局によって送信される第2の指示を受信し、第2の指示は、セカンダリ基地局の第2のセルの状況変更を指示するのに使用され、
実行部はさらに、受信部によって受信される第1の指示に従って第1のセルのアクティブ化または非アクティブ化を行うときに、受信部によって受信される第2の指示に従って第2のセルのアクティブ化または非アクティブ化を行う。
【００２４】
第3の態様の第1の可能な実施態様に関連して、第3の態様の第2の可能な実施態様において、実行部は具体的には、第1の指示が第1の媒体アクセス制御制御要素（MAC  CE）である場合に、第1のMAC  CE内の第1のセルの状況識別子に従って、第1のセルのアクティブ化または非アクティブ化を行うことを決定し、第2の指示が第2のMAC  CEである場合に、第2のMAC  CE内の第2のセルの状況識別子に従って、第2のセルのアクティブ化または非アクティブ化を行うことを決定する。
【００２５】
第3の態様の第2の可能な実施態様に関連して、第3の態様の第3の可能な実施態様において、実行部は具体的には、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定する。
【００２６】
第3の態様の第3の可能な実施態様に関連して、第3の態様の第4の可能な実施態様において、本ユーザ機器は、
第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、受信部によって受信される第1の指示に従って、第1のセルがマスタ基地局に対応することを識別し、第1のセルのセルインデックスに対応するビットが有効であると決定し、受信部によって受信される第2の指示に従って、第2のセルがセカンダリ基地局に対応することを識別し、第2のセルのセルインデックスに対応するビットが有効であると決定する、識別部
をさらに含む。
【００２７】
第3の態様に関連して、第3の態様の第5の可能な実施態様において、受信部によって受信される第1の指示がマスタ基地局の第1のセルの状況変更を指示する場合に、第1の指示は、セカンダリ基地局の第2のセルの状況変更を指示するのにさらに使用され、
実行部はさらに、受信部によって受信される第1の指示に従って第1のセルのアクティブ化または非アクティブ化を行い、第1の指示に従って第2のセルのアクティブ化または非アクティブ化を行う。
【００２８】
第3の態様の第5の可能な実施態様に関連して、第3の態様の第6の可能な実施態様において、実行部は具体的には、第1の指示が媒体アクセス制御制御要素（MAC  CE）である場合に、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００２９】
第3の態様の第6の可能な実施態様に関連して、第3の態様の第7の可能な実施態様において、実行部は具体的には、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００３０】
第3の態様の第6の可能な実施態様に関連して、第3の態様の第8の可能な実施態様において、受信部によって受信されるMAC  CEは、第1のセルのセルインデックス、第2のセルのセルインデックス、第1の基地局の基地局識別情報、および第2の基地局の基地局識別情報をさらに含み、
実行部は具体的には、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００３１】
第4の態様によれば、基地局が提供され、本基地局は、ユーザ機器のマスタ基地局として働き、
第1の指示を生成する生成部であって、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う、生成部と、
ユーザ機器が、第1の指示に従って第1のセルもしくは第2のセルのアクティブ化を行い、または第1の指示に従って第1のセルもしくは第2のセルの非アクティブ化を行うように、生成部によって生成される第1の指示をユーザ機器へ送信する、送信部と
を含む。
【００３２】
第4の態様に関連して、第4の態様の第1の可能な実施態様において、生成部によって生成される第1の指示は第1の媒体アクセス制御制御要素（MAC  CE）であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【００３３】
第4の態様の第1の可能な実施態様に関連して、第4の態様の第2の可能な実施態様において、本基地局は、
マスタ基地局の第1のセルのセルインデックスに付番する第1の付番部であって、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する、第1の付番部
をさらに含む。
【００３４】
第4の態様に関連して、第4の態様の第3の可能な実施態様において、生成部によって生成される第1の指示は、セカンダリ基地局の第2のセルの状況変更を指示するのにさらに使用され、そのため、ユーザ機器は第1の指示に従って第2のセルのアクティブ化または非アクティブ化を行う。
【００３５】
第4の態様の第3の可能な実施態様に関連して、第4の態様の第4の可能な実施態様において、生成部によって生成される第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００３６】
第4の態様の第4の可能な実施態様に関連して、第4の態様の第5の可能な実施態様において、本基地局は、
ユーザ機器が、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定するように、第1のセルのセルインデックスと第2のセルのセルインデックスの両方に付番する、第2の付番部
をさらに含む。
【００３７】
第4の態様の第4の可能な実施態様に関連して、第4の態様の第6の可能な実施態様において、生成部によって生成されるMAC  CEは、第1のセルのセルインデックス、第2のセルのセルインデックス、第1の基地局の基地局識別情報、および第2の基地局の基地局識別情報をさらに含み、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００３８】
第5の態様によれば、ユーザ機器が提供され、本ユーザ機器は、無線送受信機とプロセッサとを含み、
無線送受信機は、マスタ基地局によって送信される第1の指示を受信し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行い、
プロセッサは、第1の指示に従って第1のセルもしくは第2のセルのアクティブ化を行い、または第1の指示に従って第1のセルもしくは第2のセルの非アクティブ化を行う。
【００３９】
第5の態様に関連して、第5の態様の第3の可能な実施態様において、無線送受信機はさらに、受信される第1の指示がマスタ基地局の第1のセルの状況変更を指示するのに使用される場合に、セカンダリ基地局によって送信される第2の指示を受信し、第2の指示は、セカンダリ基地局の第2のセルの状況変更を指示するのに使用され、
プロセッサはさらに、第1の指示に従って第1のセルのアクティブ化または非アクティブ化を行うときに、第2の指示に従って第2のセルのアクティブ化または非アクティブ化を行う。
【００４０】
第5の態様の第1の可能な実施態様に関連して、第5の態様の第2の可能な実施態様において、プロセッサは具体的には、第1の指示が第1の媒体アクセス制御制御要素（MAC  CE）である場合に、第1のMAC  CE内の第1のセルの状況識別子に従って、第1のセルのアクティブ化または非アクティブ化を行うことを決定し、第2の指示が第2のMAC  CEである場合に、第2のMAC  CE内の第2のセルの状況識別子に従って、第2のセルのアクティブ化または非アクティブ化を行うことを決定する。
【００４１】
第5の態様の第2の可能な実施態様に関連して、第5の態様の第3の可能な実施態様において、プロセッサは具体的には、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定する。
【００４２】
第5の態様の第3の可能な実施態様に関連して、第5の態様の第4の可能な実施態様において、プロセッサはさらに、第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、第1の指示に従って、第1のセルがマスタ基地局に対応することを識別し、第1のセルのセルインデックスに対応するビットが有効であると決定し、第2の指示に従って、第2のセルがセカンダリ基地局に対応することを識別し、第2のセルのセルインデックスに対応するビットが有効であると決定する。
【００４３】
第5の態様に関連して、第5の態様の第5の可能な実施態様において、プロセッサはさらに、第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、第1の指示に従って、第1のセルがマスタ基地局に対応することを識別し、第1のセルのセルインデックスに対応するビットが有効であると決定し、第2の指示に従って、第2のセルがセカンダリ基地局に対応することを識別し、第2のセルのセルインデックスに対応するビットが有効であると決定する。
【００４４】
第5の態様の第5の可能な実施態様に関連して、第5の態様の第6の可能な実施態様において、プロセッサは具体的には、第1の指示が媒体アクセス制御制御要素（MAC  CE）である場合に、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００４５】
第5の態様の第6の可能な実施態様に関連して、第5の態様の第7の可能な実施態様において、プロセッサは具体的には、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００４６】
第5の態様の第6の可能な実施態様に関連して、第5の態様の第8の可能な実施態様において、無線送受信機によって受信されるMAC  CEは、第1のセルのセルインデックス、第2のセルのセルインデックス、第1の基地局の基地局識別情報、および第2の基地局の基地局識別情報をさらに含み、
プロセッサは具体的には、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００４７】
第6の態様によれば、基地局が提供され、本基地局は、ユーザ機器のマスタ基地局として働き、送受信機とプロセッサとを含み、
プロセッサは第1の指示を生成し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行い、
送受信機は、ユーザ機器が、第1の指示に従って第1のセルもしくは第2のセルのアクティブ化を行い、または第1の指示に従って第1のセルもしくは第2のセルの非アクティブ化を行うように、第1の指示をユーザ機器へ送信する。
【００４８】
第6の態様に関連して、第6の態様の第1の可能な実施態様において、プロセッサによって生成される第1の指示は第1の媒体アクセス制御制御要素（MAC  CE）であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【００４９】
第6の態様の第1の可能な実施態様に関連して、第6の態様の第2の可能な実施態様において、プロセッサはさらに、マスタ基地局の第1のセルのセルインデックスに付番し、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する。
【００５０】
第6の態様に関連して、第6の態様の第3の可能な実施態様において、プロセッサによって生成される第1の指示は、セカンダリ基地局の第2のセルの状況変更を指示するのにさらに使用され、そのため、ユーザ機器は第1の指示に従って第2のセルのアクティブ化または非アクティブ化を行う。
【００５１】
第6の態様の第3の可能な実施態様に関連して、第6の態様の第4の可能な実施態様において、プロセッサによって生成される第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００５２】
第6の態様の第4の可能な実施態様に関連して、第6の態様の第5の可能な実施態様において、プロセッサはさらに、第1のセルのセルインデックスと第2のセルのセルインデックスの両方に付番し、そのため、ユーザ機器は、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００５３】
第6の態様の第4の可能な実施態様に関連して、第6の態様の第6可能な実施態様において、プロセッサによって生成されるMAC  CEは、第1のセルのセルインデックス、第2のセルのセルインデックス、第1の基地局の基地局識別情報、および第2の基地局の基地局識別情報をさらに含み、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００５４】
本発明の実施形態においては、UEが、マスタ基地局の第1のセルの状況変更を指示し、またはセカンダリ基地局の第2のセルの状況変更を指示するのに使用される、マスタ基地局によって送信される第1の指示を受信し、第1の指示に従って第1のセルもしくは第2のセルのアクティブ化を行い、または第1の指示に従って第1のセルもしくは第2のセルの非アクティブ化を行う。本発明の実施形態においては、マスタ基地局とセカンダリ基地局はどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができる。これにより、キャリアアグリゲーション時に複数の基地局に属するサービングセルのアクティブ化または非アクティブ化の管理が実現される。
【００５５】
本発明の実施形態における、または先行技術における技術的解決策をより明確に説明するために、以下で、各実施形態または先行技術を説明するのに必要とされる添付の図面について簡単に記述する。明らかに、以下の説明の添付の図面は本発明のいくつかの実施形態を示すにすぎず、当業者はこれら添付の図面から難なく他の図面をさらに導出することができる。
【図面の簡単な説明】
【００５６】
【図１Ａ】本発明によるセル状況変更方法の一実施形態の流れ図である。
【図１Ｂ】本発明によるセル状況変更方法の別の実施形態の流れ図である。
【図２Ａ】本発明の方法実施形態に適用される基地局間のCAのアーキテクチャの概略図である。
【図２Ｂ】本発明によるセル状況変更方法の別の実施形態の流れ図である。
【図２Ｃ】本発明の一実施形態によるMAC  CEの概略的構造図である。
【図３Ａ】本発明の方法実施形態に適用される基地局間のCAの別のアーキテクチャの概略図である。
【図３Ｂ】本発明によるセル状況変更方法の別の実施形態の流れ図である。
【図４】本発明によるユーザ機器の一実施形態のブロック図である。
【図５】本発明によるユーザ機器の別の実施形態のブロック図である。
【図６】本発明による基地局の一実施形態のブロック図である。
【図７】本発明による基地局の別の実施形態のブロック図である。
【発明を実施するための形態】
【００５７】
本発明の以下の実施形態は、UEがCA時に複数の基地局に属するサービングセルのアクティブ化または非アクティブ化を管理することができるように、セル状況変更方法、UE、および基地局を提供する。
【００５８】
当業者に本発明の実施形態における技術的解決策をよりよく理解させ、本発明の実施形態の前述の目的、特徴、および利点をより明確に、より理解しやすくするために、以下で本発明の実施形態における技術的解決策を、添付の図面に関連して詳細にさらに説明する。
【００５９】
図1Aを参照すると、図1Aは、本発明によるセル状況変更方法の一実施形態の流れ図である。本実施形態においては、セル状況変更プロセスが、ユーザ機器側の観点から説明される。
【００６０】
ステップ101：ユーザ機器がマスタ基地局によって送信された第1の指示を受信する。第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【００６１】
第1の任意選択の実施態様において、ユーザ機器は、マスタ基地局の第1のセルの状況変更を指示するのに使用される、マスタ基地局によって送信される第1の指示を受信し、またユーザ機器は、セカンダリ基地局の第2のセルの状況変更を指示するのに使用される、セカンダリ基地局によって送信される第2の指示を受信する。第1の指示は第1の媒体アクセス制御制御要素（Media Access Control Control Element、MAC  CE）とすることができ、第2の指示は第2のMAC  CEとすることができる。MAC  CE内の各ビットは、各ビットによって指示されるセルインデックスに対応するセルのアクティブ状態または非アクティブ状態を指示するビット値を搬送するのに使用される。
【００６２】
さらに、本実施形態においては、第1のセルのセルインデックスおよび第2のセルのセルインデックスに、マスタ基地局およびセカンダリ基地局によってそれぞれ付番することができ、または第1のセルのセルインデックスは第2のセルのセルインデックスと同じである。それに対応して、ユーザ機器は、受信される第1の指示に従って、第1のセルはマスタ基地局に対応することを識別し、第1のセルのセルインデックスに対応するビットが有効であると決定することができ、またユーザ機器は、受信される第2の指示に従って、第2のセルはセカンダリ基地局に対応することを識別し、第2のセルのセルインデックスに対応するビットが有効であると決定することができる。
【００６３】
第2の任意選択の実施態様において、ユーザ機器は、マスタ基地局によって送信される第1の指示を受信し、第1の指示は、マスタ基地局の第1のセルの状況変更を指示し、セカンダリ基地局の第2のセルの状況変更を指示するのに使用される。第1の指示は媒体アクセス制御制御要素（MAC  CE）であり、MAC  CE内の各ビットは、各ビットによって指示されるセルインデックスに対応するセルのアクティブ状態または非アクティブ状態を指示するビット値を搬送するのに使用される。
【００６４】
ステップ102：ユーザ機器は、第1の指示に従って第1のセルもしくは第2のセルのアクティブ化を行い、または第1の指示に従って第1のセルもしくは第2のセルの非アクティブ化を行う。
【００６５】
ステップ101の第1の任意選択の実施態様では、ユーザ機器は、第1の指示に従って第1のセルのアクティブ化または非アクティブ化を行い、第2の指示に従って第2のセルのアクティブ化または非アクティブ化を行う。ユーザ機器は、第1のMAC  CE内の第1のセルの状況識別子に従って、第1のセルのアクティブ化または非アクティブ化を行うことを決定し、第2のMAC  CE内の第2のセルの状況識別子に従って、第2のセルのアクティブ化または非アクティブ化を行うことを決定することができる。具体的には、ユーザ機器は、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定することができる。
【００６６】
ステップ101の第2の任意選択の実施態様では、ユーザ機器は、第1の指示に従って第1のセルのアクティブ化または非アクティブ化を行い、第1の指示に従って第2のセルのアクティブ化または非アクティブ化を行う。ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定することができる。
【００６７】
さらに、第1のセルのセルインデックスと第2のセルのセルインデックスの両方に、マスタ基地局もしくはセカンダリ基地局によって付番することもでき、または第1のセルのセルインデックスは第2のセルのセルインデックスと異なる。具体的には、ユーザ機器は、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００６８】
あるいはさらに、MAC  CEは、第1のセルのセルインデックス、第2のセルのセルインデックス、第1の基地局の基地局識別情報、および第2の基地局の基地局識別情報をさらに含む。具体的には、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００６９】
前述の実施形態から、本実施形態は、マスタ基地局とセカンダリ基地局がどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができるシナリオに適用されることが分かる。これにより、キャリアアグリゲーション時に複数の基地局に属するサービングセルのアクティブ化または非アクティブ化の管理が実現される。
【００７０】
図1Bを参照すると、図1Bは、本発明によるセル状況変更方法の別の実施形態の流れ図である。本実施形態においては、セル状況変更プロセスが、基地局側の観点から説明される。
【００７１】
ステップ111：ユーザ機器のマスタ基地局が第1の指示を生成する。第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【００７２】
第1の任意選択の実施態様において、第1の指示は第1の媒体アクセス制御制御要素（MAC  CE）とすることができ、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【００７３】
さらに、マスタ基地局は、マスタ基地局の第1のセルのセルインデックスに付番することができ、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する。
【００７４】
第2の任意選択の実施態様において、第1の指示は、セカンダリ基地局の第2のセルの状況変更を指示するのにさらに使用することができ、そのため、ユーザ機器は第1の指示に従って第2のセルのアクティブ化または非アクティブ化を行う。具体的には、第1の指示は第1の媒体アクセス制御制御要素（MAC  CE）とすることができ、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００７５】
マスタ基地局は、第1のセルのセルインデックスと第2のセルのセルインデックスの両方に付番することができ、そのため、ユーザ機器は、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００７６】
あるいは、マスタ基地局によって生成されるMAC  CEは、第1のセルのセルインデックス、第2のセルのセルインデックス、第1の基地局の基地局識別情報、および第2の基地局の基地局識別情報をさらに含むことができ、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００７７】
ステップ112：マスタ基地局は、ユーザ機器が、第1の指示に従って第1のセルもしくは第2のセルのアクティブ化を行い、または第1の指示に従って第1のセルもしくは第2のセルの非アクティブ化を行うように、第1の指示をユーザ機器へ送信する。
【００７８】
前述の実施形態から、本実施形態は、マスタ基地局とセカンダリ基地局がどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができるシナリオに適用されることが分かる。これにより、キャリアアグリゲーション時に複数の基地局に属するサービングセルのアクティブ化または非アクティブ化の管理が実現される。
【００７９】
図2Aを参照すると、図2Aは、本発明の方法実施形態に適用される基地局間のCAのアーキテクチャの概略図である。
【００８０】
例を用いて説明を容易にするために、ユーザ機器にサービスする、図2Aに示されている基地局は、1台のマスタ基地局と1台のセカンダリ基地局とを含む。実際の適用では、ユーザ機器にサービスする基地局は1つまたは複数のセカンダリ基地局を含むことができ、これについて図2Aに示す実施形態においては限定されない。図2Aでは、マスタ基地局とセカンダリ基地局とは、アクティブ化コマンドまたは非アクティブ化コマンドをUEへ別々に送付し、マスタ基地局とセカンダリ基地局とは、それぞれのセルのアクティブ状態または非アクティブ状態を相互に交換することができる。
【００８１】
図2Bを参照すると、図2Bには、本発明によるセル状況変更方法の別の実施形態が示されている。UEがセル状況を変更するプロセスを、図2Aに関連して本実施形態において詳細に説明する。
【００８２】
ステップ201：マスタ基地局は、UEのものであり、マスタ基地局に属するサービングセルのアクティブ状態または非アクティブ状態を決定する。
【００８３】
本実施形態においては、UEのマスタ基地局がUEとの接続関係を確立した後で、マスタ基地局に属するいくつかのセルがUEのサービングセルになり、マスタ基地局は、UEのUE  IDとサービングセルのセルインデックスとの間の対応関係を記録し、各サービングセルのアクティブ状態または非アクティブ状態を記録する。
【００８４】
マスタ基地局がUEのサービングセルのアクティブ状態または非アクティブ状態を制御することが必要になると、UEのものであり、マスタ基地局に属する各サービングセルのアクティブ状態または非アクティブ状態を決定することができる。例えば、すべてのサービングセルのアクティブ状態または非アクティブ状態を決定することもでき、そのアクティブ状態または非アクティブ状態が変更されるサービングセルのアクティブ状態または非アクティブ状態だけを決定することもできる。
【００８５】
ステップ202：マスタ基地局はUEへ、UEのものであり、マスタ基地局に属するサービングセルのアクティブ状態または非アクティブ状態の変更を含むアクティブ化コマンドのまたは非アクティブ化コマンドを送付する。
【００８６】
マスタ基地局によって送付されるアクティブ化コマンドまたは非アクティブ化コマンドは、具体的には、MAC  CEとすることができ、MAC  CEは、ビットマップ内の7ビットを用いて、マスタ基地局に属する7つのサービングセルのアクティブ状態または非アクティブ状態を指示することができる。すなわち、ビットマップ内の各ビットを、各ビットによって指示されるセルインデックスに対応するサービングセルのアクティブ状態または非アクティブ状態を指示するビット値を搬送するのに使用することができる。本実施形態においては、セルインデックスは、マスタ基地局およびセカンダリ基地局のそれぞれのセルについてマスタ基地局およびセカンダリ基地局によって単独で構成されるセルインデックスとすることができ、したがって、マスタ基地局のサービングセルのセルインデックスがセカンダリ基地局のいくつかのサービングセルのセルインデックスと同じである場合もあり、あるいは、セルインデックスは、マスタ基地局およびセカンダリ基地局に属するすべてのセルについてマスタ基地局またはセカンダリ基地局によって構成されるセルインデックスとすることもでき、したがって、マスタ基地局およびセカンダリ基地局のすべてのセルのエルインデックスが異なりうる。
【００８７】
図2Cを参照すると、図2Cは、本発明の一実施形態によるMAC  CEの概略的構造図である。MAC  CEは8つのビット・マップ・ビットを含み、これらのビットは、異なるサービングセルに対応するアクティブ状態または非アクティブ状態を表す7つのビットCj（jは1から7と等しい）と、1つの予約ビット（R）である。本実施形態においては、マスタ基地局がセルインデックスをマスタ基地局だけのサービングセルに割り振る場合には、すなわち、1つのセルが追加されるときに、マスタ基地局は当該セルに1つのセルインデックスを割り振り、図2Cに示す各Cjのビット値は、マスタ基地局に属し、Cjに対応するセルインデックスによって指示されるセルのアクティブ状態または非アクティブ状態を表す。マスタ基地局またはセカンダリ基地局がすべてのサービングセルにセルインデックスを割り振る場合には、Cj内のあるビット値に対応するセルインデックスはマスタ基地局に属するセルのアクティブ状態または非アクティブ状態を指示し、あるビット値に対応するセルインデックスはセカンダリ基地局に属するセルのアクティブ状態または非アクティブ状態を指示する。ビットごとに、ビット値が0であると仮定される場合には、当該ビットに対応するサービングセルが非アクティブ状態であると決定することができ、ビット値が1である場合には、当該ビットに対応するサービングセルがアクティブ状態であると決定することができる。
【００８８】
ステップ203：UEは、アクティブ化コマンドまたは非アクティブ化コマンドを送信するマスタ基地局を識別する。
【００８９】
本実施形態においては、UEは事前にセルインデックスと基地局との間の対応関係を保存し、サービングセルを用いてマスタ基地局によって送付されるアクティブ化コマンドもしくは非アクティブ化コマンドを受信した後で、UEは、アクティブ化コマンドもしくは非アクティブ化コマンドを送信するサービングセルのセルインデックスに従って、セルインデックスに対応する基地局がマスタ基地局であることを知ることができ、あるいは、UEは、マスタ基地局のものであり、アクティブ化コマンドもしくは非アクティブ化コマンドで搬送される基地局IDに従って、アクティブ化コマンドもしくは非アクティブ化コマンドを送信するサービング基地局がマスタ基地局であることを直接識別することもできる。
【００９０】
ステップ204：UEは、マスタ基地局に属するサービングセルのアクティブ化または非アクティブ化を行う。
【００９１】
ステップ202および図2Cを参照に関連して、マスタ基地局がマスタ基地局だけのセルについてのセルインデックスを構成する場合には、MAC  CEのビットマップ内のすべてのビットがマスタ基地局に属するセルに対応し、UEは、MAC  CE内の各ビットのビット値を読み取り、次いで、ビット値によって指示されるアクティブ状態または非アクティブ状態に従って、マスタ基地局に属し、ビットに対応するセルインデックスによって指示されるサービングセルのアクティブ化または非アクティブ化を行うことができることが分かる。
【００９２】
ステップ202および図2Cに関連して、マスタ基地局またはセカンダリ基地局がマスタ基地局およびセカンダリ基地局に属するすべてのセルについてのセルインデックスを構成する場合には、MAC  CEのビットマップ内のいくつかのビットがマスタ基地局に属するセルに対応し、UEは、マスタ基地局に属するサービングセルのビットだけを読み取り、他のビットを無視することができ、すなわち、マスタ基地局に属するサービングセルのセルインデックスに対応するビットだけが有効であり、UEは、読み取られるビットのビット値によって指示されるアクティブ状態または非アクティブ状態に従って、マスタ基地局に属し、各ビットに対応するセルインデックスによって指示されるサービングセルのアクティブ化または非アクティブ化を行うことができることが分かる。
【００９３】
ステップ205：セカンダリ基地局は、UEのものであり、セカンダリ基地局に属するサービングセルのアクティブ状態または非アクティブ状態を決定する。
【００９４】
本実施形態においては、UEのセカンダリ基地局がUEとの接続関係を確立した後で、セカンダリ基地局に属するいくつかのセルがUEのサービングセルになり、セカンダリ基地局は、UEのUE  IDとサービングセルのセルインデックスとの間の対応関係を記録し、各サービングセルのアクティブ状態または非アクティブ状態を記録する。
【００９５】
セカンダリ基地局がUEのサービングセルのアクティブ状態または非アクティブ状態を制御することが必要になると、UEのものであり、セカンダリ基地局に属する各サービングセルのアクティブ状態または非アクティブ状態を決定することができる。例えば、すべてのサービングセルのアクティブ状態または非アクティブ状態を決定することもでき、そのアクティブ状態または非アクティブ状態が変更されるサービングセルのアクティブ状態または非アクティブ状態だけを決定することもできる。
【００９６】
ステップ206：セカンダリ基地局はUEへ、UEのものであり、セカンダリ基地局に属するサービングセルのアクティブ状態または非アクティブ状態の変更を含むアクティブ化コマンドまたは非アクティブ化コマンドを送付する。
【００９７】
ステップ202の説明と同様に、セカンダリ基地局によって送付されるアクティブ化コマンドまたは非アクティブ化コマンドは、具体的には、MAC  CEとすることができ、MAC  CEは、ビットマップ内の7ビットを用いて、セカンダリ基地局に属する7つのサービングセルのアクティブ状態または非アクティブ状態を指示することができる。すなわち、ビットマップ内の各ビットを、各ビットによって指示されるセルインデックスに対応するサービングセルのアクティブ状態または非アクティブ状態を指示するビット値を搬送するのに使用することができる。本実施形態においては、セルインデックスは、マスタ基地局およびセカンダリ基地局のそれぞれのセルについてマスタ基地局およびセカンダリ基地局によって単独で構成されるセルインデックスとすることができ、したがって、マスタ基地局のサービングセルのセルインデックスがセカンダリ基地局のいくつかのサービングセルのセルインデックスと同じである場合もあり、あるいは、セルインデックスは、マスタ基地局およびセカンダリ基地局に属するすべてのセルについてマスタ基地局またはセカンダリ基地局によって構成されるセルインデックスとすることもでき、したがって、マスタ基地局およびセカンダリ基地局のすべてのセルのセルインデックスが異なりうる。
【００９８】
MAC  CEのビットマップのものであり、図2Cに示されている概略的構造図をさらに参照する。MAC  CEは8つのビット・マップ・ビットを含み、これらのビットは、異なるサービングセルに対応するアクティブ状態または非アクティブ状態を表す7つのビットCj（jは1から7と等しい）と、1つの予約ビット（R）である。本実施形態においては、セカンダリ基地局がセルインデックスをセカンダリ基地局だけのサービングセルに割り振る場合には、図2Cに示す各Cjのビット値は、セカンダリ基地局に属し、Cjに対応するセルインデックスによって指示されるセルのアクティブ状態または非アクティブ状態を表し、マスタ基地局またはセカンダリ基地局がすべてのサービングセルにセルインデックスを割り振る場合には、Cj内のあるビット値に対応するセルインデックスはマスタ基地局に属するセルのアクティブ状態または非アクティブ状態を指示し、あるビット値に対応するセルインデックスはセカンダリ基地局に属するセルのアクティブ状態または非アクティブ状態を指示する。
【００９９】
ステップ207：UEは、アクティブ化コマンドまたは非アクティブ化コマンドを送信するセカンダリ基地局を識別する。
【０１００】
ステップ203の説明と同様に、UEは事前にセルインデックスと基地局との間の対応関係を保存し、サービングセルを用いてセカンダリ基地局によって送付されるアクティブ化コマンドもしくは非アクティブ化コマンドを受信した後で、UEは、アクティブ化コマンドもしくは非アクティブ化コマンドを送信するサービングセルのセルインデックスに従って、セルインデックスに対応する基地局がセカンダリ基地局であることを知ることができ、あるいは、UEは、セカンダリ基地局のものであり、アクティブ化コマンドもしくは非アクティブ化コマンドで搬送される基地局IDに従って、アクティブ化コマンドもしくは非アクティブ化コマンドを送信するサービング基地局がセカンダリ基地局であることを直接識別することもできる。
【０１０１】
ステップ208：UEは、セカンダリ基地局に属するサービングセルのアクティブ化または非アクティブ化を行う。
【０１０２】
ステップ206および図2Cに関連して、セカンダリ基地局がセカンダリ基地局だけのセルについてのセルインデックスを構成する場合には、MAC  CEのビットマップ内のすべてのビットがセカンダリ基地局に属するセルに対応し、UEは、MAC  CE内の各ビットのビット値を読み取り、次いで、ビット値によって指示されるアクティブ状態または非アクティブ状態に従って、セカンダリ基地局に属し、ビットに対応するセルインデックスによって指示されるサービングセルのアクティブ化または非アクティブ化を行うことができることが分かる。
【０１０３】
ステップ206および図2Cに関連して、マスタ基地局またはセカンダリ基地局がマスタ基地局およびセカンダリ基地局に属するすべてのセルについてのセルインデックスを構成する場合には、MAC  CEのビットマップ内のいくつかのビットがセカンダリ基地局に属するセルに対応し、UEは、セカンダリ基地局に属するサービングセルのビットだけを読み取り、他のビットを無視することができ、すなわち、セカンダリ基地局に属するサービングセルのセルインデックスに対応するビットだけが有効であり、UEは、読み取られるビットのビット値によって指示されるアクティブ状態または非アクティブ状態に従って、セカンダリ基地局に属し、各ビットに対応するセルインデックスによって指示されるサービングセルのアクティブ化または非アクティブ化を行うことができることが分かる。
【０１０４】
ステップ209：マスタ基地局はセカンダリ基地局へ、UEのものであり、マスタ基地局に属するサービングセルのアクティブ状態または非アクティブ状態を送信する。
【０１０５】
本実施形態においては、マスタ基地局は、UEのサービングセルごとに、アクティブ化タイマまたは非アクティブ化タイマを設定することができ、UEのものであり、マスタ基地局に属するサービングセルのアクティブ化タイマまたは非アクティブ化タイマが切れた後で、マスタ基地局はセカンダリ基地局へ、UEのものであり、マスタ基地局に属するサービングセルのアクティブ状態または非アクティブ状態を送信することができる。
【０１０６】
ステップ210：セカンダリ基地局はマスタ基地局へ、UEのものであり、セカンダリ基地局に属するサービングセルのアクティブ状態または非アクティブ状態を送信する。
【０１０７】
本実施形態においては、セカンダリ基地局は、UEのサービングセルごとに、アクティブ化タイマまたは非アクティブ化タイマを設定することができ、UEのものであり、セカンダリ基地局に属するサービングセルのアクティブ化タイマまたは非アクティブ化タイマが切れた後で、セカンダリ基地局はマスタ基地局へ、UEのものであり、セカンダリ基地局に属するサービングセルのアクティブ状態または非アクティブ状態を送信することができる。
【０１０８】
基地局間のCAのアーキテクチャにおいては、マスタ基地局は、UEによって報告されるチャネル品質情報（Channel Quality Institute、CQI）報告を受信し、マスタ基地局は、UEのすべてのサービングセルのアクティブ状態または非アクティブ状態に従って、CQI報告を復号する必要がある。マスタ基地局が、セカンダリ基地局に属するサービングセルのアクティブ状態または非アクティブ状態を知らない場合には、マスタ基地局は、異なる復号フォーマットを用いてCQI報告を復号する必要がある。本実施形態においては、マスタ基地局は、セカンダリ基地局と対話することによって、セカンダリ基地局に属するサービングセルのアクティブ化または非アクティブ化情報を獲得することができるため、マスタ基地局は、受信されるCQI報告を1つのやり方で復号することができる。すなわち、1つの復号フォーマットがCQI報告を復号するのに使用される。したがって、マスタ基地局の復号効率を向上させることができる。
【０１０９】
前述の実施形態においては、ステップ201からステップ204、ステップ205からステップ208、およびステップ209からステップ210が異なる順序で行われてよく、図2Bの順序は単なる例示にすぎず、本発明の実施形態を限定するためのものではないことに留意すべきである。
【０１１０】
前述の実施形態から、本実施形態は、マスタ基地局とセカンダリ基地局がどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができるシナリオに適用されることが分かる。これにより、キャリアアグリゲーション時に複数の基地局に属するサービングセルのアクティブ化または非アクティブ化の管理が実現される。
【０１１１】
図3Aを参照すると、図3Aは、本発明の方法実施形態に適用される基地局間のCAの別のアーキテクチャの概略図である。
【０１１２】
例を用いて説明を容易にするために、ユーザ機器にサービスする、図3Aに示されている基地局は、1台のマスタ基地局と1台のセカンダリ基地局とを含む。実際の適用では、ユーザ機器にサービスする基地局は1つまたは複数のセカンダリ基地局を含むことができ、これについて図3Aに示す実施形態においては限定されない。図3Aでは、マスタ基地局だけがUEへアクティブ化コマンドまたは非アクティブ化コマンドを送付し、マスタ基地局とセカンダリ基地局とは、それぞれのセルのアクティブ状態または非アクティブ状態を相互に交換することができる。
【０１１３】
図3Bを参照すると、図3Bには、本発明によるセル状況変更方法の別の実施形態が示されている。UEがセル状況を変更するプロセスを、図3Aに関連して本実施形態において詳細に説明する。
【０１１４】
ステップ301：マスタ基地局は、UEのものであり、マスタ基地局に属するサービングセルのアクティブ状態または非アクティブ状態を決定する。
【０１１５】
本実施形態においては、UEのマスタ基地局がUEとの接続関係を確立した後で、マスタ基地局に属するいくつかのセルがUEのサービングセルになり、マスタ基地局は、UEのUE  IDとサービングセルのセルインデックスとの間の対応関係を記録し、各サービングセルのアクティブ状態または非アクティブ状態を記録する。
【０１１６】
マスタ基地局がUEのサービングセルのアクティブ状態または非アクティブ状態を制御することが必要になると、UEのものであり、マスタ基地局に属する各サービングセルのアクティブ状態または非アクティブ状態を決定することができる。例えば、すべてのサービングセルのアクティブ状態または非アクティブ状態を決定することもでき、そのアクティブ状態または非アクティブ状態が変更されるサービングセルのアクティブ状態または非アクティブ状態だけを決定することもできる。
【０１１７】
ステップ302：セカンダリ基地局はマスタ基地局と折衝して、UEのものであり、セカンダリ基地局に属するサービングセルのアクティブ状態または非アクティブ状態を獲得する。
【０１１８】
本実施形態においては、セカンダリ基地局に属するサービングセルをアクティブ化し、または非アクティブ化することを決定する前に、マスタ基地局は、セカンダリ基地局と折衝して、セカンダリ基地局に属するサービングセルのアクティブ状態または非アクティブ状態を獲得することができる。
【０１１９】
加えて任意選択で、マスタ基地局はセカンダリ基地局と折衝できず、代わりにマスタ基地局が、セカンダリ基地局に属するサービングセルのアクティブ状態または非アクティブ状態を決定し、あるいは、UEのサービングセルのアクティブ化タイマまたは非アクティブ化タイマが切れた後で、セカンダリ基地局はマスタ基地局へ、UEのものであり、セカンダリ基地局に属するサービングセルのアクティブ状態または非アクティブ状態を送信することができる。
【０１２０】
ステップ303：マスタ基地局はセカンダリ基地局へ、UEのものであり、マスタ基地局に属するサービングセルのアクティブ状態または非アクティブ状態を送信する。
【０１２１】
本実施形態においては、マスタ基地局は、UEのサービングセルごとに、アクティブ化タイマまたは非アクティブ化タイマを設定することができ、UEのものであり、マスタ基地局に属するサービングセルのアクティブ化タイマまたは非アクティブ化タイマが切れた後で、マスタ基地局はセカンダリ基地局へ、UEのものであり、マスタ基地局に属するサービングセルのアクティブ状態または非アクティブ状態を送信することができる。このステップは任意選択のステップであることに留意すべきである。
【０１２２】
ステップ304：マスタ基地局はUEへアクティブ化コマンドまたは非アクティブ化コマンドを送信する。アクティブ化コマンドまたは非アクティブ化コマンドは、UEのものであり、マスタ基地局およびセカンダリ基地局に属するサービングセルのアクティブ状態または非アクティブ状態を搬送する。
【０１２３】
本実施形態においては、マスタ基地局によって送付されるアクティブ化コマンドまたは非アクティブ化コマンドは、具体的には、MAC  CEとすることができる。MAC  CEの具体的構造については、図2Cを参照されたい。MAC  CEは、ビットマップ内の7ビットを用いて、マスタ基地局およびセカンダリ基地局に属する7つのサービングセルのアクティブ状態または非アクティブ状態を指示することができる。すなわち、ビットマップ内の各ビットを、各ビットによって指示されるセルインデックスに対応するサービングセルのアクティブ状態または非アクティブ状態を指示するビット値を搬送するのに使用することができる。本実施形態においては、セルインデックスは、マスタ基地局およびセカンダリ基地局に属するすべてのセルについてのマスタ基地局またはセカンダリ基地局によって構成されるセルインデックスとすることができ、したがって、マスタ基地局およびセカンダリ基地局のすべてのセルのセルインデックスが異なりうる。
【０１２４】
加えて、サービングセルのアクティブ状態または非アクティブ状態をビットマップの形で搬送することに加えて、本実施形態のMAC  CEは、マスタ基地局のサービングセルのセルインデックス、マスタ基地局識別情報、マスタ基地局に属するサービングセルの状況識別子、セカンダリ基地局のサービングセルのセルインデックス、セカンダリ基地局識別情報、およびセカンダリ基地局に属するサービングセルの状況識別子を直接搬送することもでき、そのため、UEは、MAC  CEで搬送されるセルインデックス、基地局識別情報、およびサービングセルの状態識別情報に従って、異なる基地局に属する異なるサービングセルのアクティブ化または非アクティブ化を直接行うことができる。
【０１２５】
ステップ305：UEは、マスタ基地局およびセカンダリ基地局に属するサービングセルのアクティブ化または非アクティブ化を行う。
【０１２６】
マスタ基地局がステップ304でMAC  CEのビットマップを用いてアクティブ状態または非アクティブ状態を搬送する場合に、本ステップでは、マスタ基地局によって送付されたMAC  CEを受信した後で、UEは、ビットマップ内の各ビットを読み取り、セルインデックスの構成結果に従って、各ビットに対応するセルインデックスによって指示されるサービングセルを獲得し、読み取られたビットのビット値によって指示されるアクティブ状態または非アクティブ状態に従って、セルインデックスによって指示されるサービングセルのアクティブ化または非アクティブ化を行う。例えば、ビットマップ内の第1のビットは、マスタ基地局のものであり、そのセルインデックスがCELL1であるサービングセル1に対応し、第1のビットのビット値が1であると仮定すると、第1のビットは、マスタ基地局に属するサービングセル1がアクティブ状態であることを指示し、この場合、UEは、マスタ基地局に属するサービングセル1のアクティブ化を行い、ビットマップ内の第2のビットは、セカンダリ基地局のものであり、そのセルインデックスがCELL2であるサービングセル2に対応し、第2のビットのビット値が0であると仮定すると、第2のビットは、セカンダリ基地局に属するサービングセル2が非アクティブ状態であることを指示し、この場合、UEは、セカンダリ基地局に属するサービングセル2の非アクティブ化を行う。
【０１２７】
前述の実施形態から、本実施形態は、マスタ基地局とセカンダリ基地局がどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができるシナリオに適用されることが分かる。これにより、キャリアアグリゲーション時に複数の基地局に属するサービングセルのアクティブ化または非アクティブ化の管理が実現される。
【０１２８】
本発明によるセル状況変更方法の実施形態に対応して、本発明は、本方法実施形態が適用されるユーザ機器および基地局の実施形態をさらに提供する。
【０１２９】
図4を参照すると、図4は、本発明によるユーザ機器の一実施形態のブロック図である。
【０１３０】
本基地局は、受信部410と実行部420とを含む。
【０１３１】
受信部410は、マスタ基地局によって送信される第1の指示を受信し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【０１３２】
実行部420は、受信部410によって受信される第1の指示に従って第1のセルもしくは第2のセルのアクティブ化を行い、または受信部によって受信される第1の指示に従って第1のセルもしくは第2のセルの非アクティブ化を行う。
【０１３３】
任意選択の一実施態様においては、
受信部410はさらに、受信される第1の指示がマスタ基地局の第1のセルの状況変更を指示するのに使用される場合に、セカンダリ基地局によって送信される第2の指示を受信することができ、第2の指示は、セカンダリ基地局の第2のセルの状況変更を指示するのに使用され、
実行部420はさらに、受信部410によって受信される第1の指示に従って第1のセルのアクティブ化または非アクティブ化を行うときに、受信部によって受信される第2の指示に従って第2のセルのアクティブ化または非アクティブ化を行うことができる。
【０１３４】
実行部420は具体的には、第1の指示が第1の媒体アクセス制御制御要素（MAC  CE）である場合に、第1のMAC  CE内の第1のセルの状況識別子に従って、第1のセルのアクティブ化または非アクティブ化を行うことを決定し、第2の指示が第2のMAC  CEである場合に、第2のMAC  CE内の第2のセルの状況識別子に従って、第2のセルのアクティブ化または非アクティブ化を行うことを決定することができる。
【０１３５】
さらに、実行部420は具体的には、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定することができる。
【０１３６】
さらに、ユーザ機器は、
第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、受信部によって受信される第1の指示に従って、第1のセルがマスタ基地局に対応することを識別し、第1のセルのセルインデックスに対応するビットが有効であると決定し、受信部によって受信される第2の指示に従って、第2のセルがセカンダリ基地局に対応することを識別し、第2のセルのセルインデックスに対応するビットが有効であると決定する、識別部
をさらに含むことができる（図4には示されていない）。
【０１３７】
別の任意選択の実施態様においては、
受信部410によって受信される第1の指示がマスタ基地局の第1のセルの状況変更を指示する場合に、第1の指示は、セカンダリ基地局の第2のセルの状況変更を指示するのにさらに使用され、
実行部420はさらに、受信部410によって受信される第1の指示に従って第1のセルのアクティブ化または非アクティブ化を行い、第1の指示に従って第2のセルのアクティブ化または非アクティブ化を行うことができる。
【０１３８】
実行部420は具体的には、第1の指示が媒体アクセス制御制御要素（MAC  CE）である場合に、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定することができる。
【０１３９】
さらに、実行部420は具体的には、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定することができる。
【０１４０】
受信部410によって受信されるMAC  CEは、第1のセルのセルインデックス、第2のセルのセルインデックス、第1の基地局の基地局識別情報、および第2の基地局の基地局識別情報をさらに含むことができる。
【０１４１】
実行部420は具体的には、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定することができる。
【０１４２】
図5を参照すると、図5は、本発明によるユーザ機器の別の実施形態のブロック図である。
【０１４３】
本UEは、無線送受信機510とプロセッサ520とを含む。
【０１４４】
無線送受信機510は、マスタ基地局によって送信される第1の指示を受信し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【０１４５】
プロセッサ520は、第1の指示に従って第1のセルもしくは第2のセルのアクティブ化を行い、または第1の指示に従って第1のセルもしくは第2のセルの非アクティブ化を行う。
【０１４６】
任意選択の一実施態様においては、
無線送受信機510はさらに、受信される第1の指示がマスタ基地局の第1のセルの状況変更を指示するのに使用される場合に、セカンダリ基地局によって送信される第2の指示を受信することができ、第2の指示は、セカンダリ基地局の第2のセルの状況変更を指示するのに使用され、
プロセッサ520はさらに、第1の指示に従って第1のセルのアクティブ化または非アクティブ化を行うときに、第2の指示に従って第2のセルのアクティブ化または非アクティブ化を行うことができる。
【０１４７】
プロセッサ520は具体的には、第1の指示が第1の媒体アクセス制御制御要素（MAC  CE）である場合に、第1のMAC  CE内の第1のセルの状況識別子に従って、第1のセルのアクティブ化または非アクティブ化を行うことを決定し、第2の指示が第2のMAC  CEである場合に、第2のMAC  CE内の第2のセルの状況識別子に従って、第2のセルのアクティブ化または非アクティブ化を行うことを決定することができる。
【０１４８】
さらに、プロセッサ520は具体的には、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定することができる。
【０１４９】
さらに、プロセッサ520はさらに、第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、第1の指示に従って、第1のセルがマスタ基地局に対応することを識別し、第1のセルのセルインデックスに対応するビットが有効であると決定し、第2の指示に従って、第2のセルがセカンダリ基地局に対応することを識別し、第2のセルのセルインデックスに対応するビットが有効であると決定することができる。
【０１５０】
別の任意選択の実施態様においては、
無線送受信機510によって受信される第1の指示がマスタ基地局の第1のセルの状況変更を指示する場合に、第1の指示は、セカンダリ基地局の第2のセルの状況変更を指示するのにさらに使用され、
プロセッサ520はさらに、第1の指示に従って第1のセルのアクティブ化または非アクティブ化を行い、第1の指示に従って第2のセルのアクティブ化または非アクティブ化を行うことができる。
【０１５１】
プロセッサは520具体的には、第1の指示が媒体アクセス制御制御要素（MAC  CE）である場合に、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定することができる。
【０１５２】
さらに、プロセッサ520は具体的には、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定することができる。
【０１５３】
無線送受信機510によって受信されるMAC  CEは、第1のセルのセルインデックス、第2のセルのセルインデックス、第1の基地局の基地局識別情報、および第2の基地局の基地局識別情報をさらに含むことができる。
【０１５４】
プロセッサ520は具体的には、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定することができる。
【０１５５】
図6を参照すると、図6は、本発明による基地局の一実施形態のブロック図であり、本基地局はユーザ機器のマスタ基地局として働く。
【０１５６】
本基地局は、生成部610と送信部620とを含む。
【０１５７】
生成部610は第1の指示を生成し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【０１５８】
送信部620は、ユーザ機器が、第1の指示に従って第1のセルもしくは第2のセルのアクティブ化を行い、または第1の指示に従って第1のセルもしくは第2のセルの非アクティブ化を行うように、生成部610によって生成される第1の指示をユーザ機器へ送信する。
【０１５９】
任意選択の一実施態様においては、
生成部610によって生成される第1の指示は第1の媒体アクセス制御制御要素（MAC  CE）であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【０１６０】
さらに、本基地局は、
マスタ基地局の第1のセルのセルインデックスに付番する第1の付番部であって、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する、第1の付番部
をさらに含むことができる（図6には示されていない）。
【０１６１】
別の任意選択の実施態様においては、
生成部610によって生成される第1の指示は、セカンダリ基地局の第2のセルの状況変更を指示するのにさらに使用され、そのため、ユーザ機器は第1の指示に従って第2のセルのアクティブ化または非アクティブ化を行う。
【０１６２】
生成部610によって生成される第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【０１６３】
さらに、基地局は、
ユーザ機器が、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定するように、第1のセルのセルインデックスと第2のセルのセルインデックスの両方に付番する、第2の付番部
をさらに含むことができる（図6には示されていない）。
【０１６４】
あるいはさらに、生成部610によって生成されるMAC  CEは、第1のセルのセルインデックス、第2のセルのセルインデックス、第1の基地局の基地局識別情報、および第2の基地局の基地局識別情報をさらに含むことができ、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【０１６５】
図7を参照すると、図7は、本発明による基地局の別の実施形態のブロック図であり、本基地局はユーザ機器のマスタ基地局として働く。
【０１６６】
本基地局は、送受信機710とプロセッサ720とを含む。
【０１６７】
プロセッサ720は第1の指示を生成し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【０１６８】
送受信機710は、ユーザ機器が、第1の指示に従って第1のセルもしくは第2のセルのアクティブ化を行い、または第1の指示に従って第1のセルもしくは第2のセルの非アクティブ化を行うように、第1の指示をユーザ機器へ送信する。
【０１６９】
任意選択の一実施態様においては、
プロセッサ720によって生成される第1の指示は第1の媒体アクセス制御制御要素（MAC  CE）であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【０１７０】
さらに、プロセッサ720はさらに、マスタ基地局の第1のセルのセルインデックスに付番することができ、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する。
【０１７１】
別の任意選択の実施態様においては、
プロセッサ720によって生成される第1の指示は、セカンダリ基地局の第2のセルの状況変更を指示するのにさらに使用され、そのため、ユーザ機器は第1の指示に従って第2のセルのアクティブ化または非アクティブ化を行う。
【０１７２】
さらに、プロセッサ720によって生成される第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【０１７３】
プロセッサ720はさらに、第1のセルのセルインデックスと第2のセルのセルインデックスの両方に付番することができ、そのため、ユーザ機器は、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【０１７４】
あるいは、プロセッサ720によって生成されるMAC  CEは、第1のセルのセルインデックス、第2のセルのセルインデックス、第1の基地局の基地局識別情報、および第2の基地局の基地局識別情報をさらに含むことができ、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【０１７５】
本発明の前述の実施形態から、UEが、マスタ基地局の第1のセルの状況変更を指示し、またはセカンダリ基地局の第2のセルの状況変更を指示するのに使用される、マスタ基地局によって送信される第1の指示を受信し、第1の指示に従って第1のセルもしくは第2のセルのアクティブ化を行い、または第1の指示に従って第1のセルもしくは第2のセルの非アクティブ化を行うことが分かる。本発明の実施形態においては、マスタ基地局とセカンダリ基地局はどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができる。これにより、キャリアアグリゲーション時に複数の基地局に属するサービングセルのアクティブ化または非アクティブ化の管理が実現される。
【０１７６】
本発明の実施形態における技術は、必要な汎用ハードウェアプラットフォームにソフトウェアを加えたものによって実現することができることを当業者は明確に理解することができる。そうした理解に基づき、本発明の技術的解決策を本質的に、または先行技術に寄与する部分を、ソフトウェア製品の形態で実現することができる。ソフトウェア製品は、ROM／RAM、ハードディスク、光ディスクといった記憶媒体に記憶されており、（パーソナルコンピュータ、サーバ、またはネットワークデバイスとすることができる）コンピュータデバイスに、本発明の実施形態または実施形態の一部に記載されている方法を実行するよう命令するためのいくつかの命令を含む。
【０１７７】
本明細書における実施形態はすべて累進的に記述されており、各実施形態における同じ部分または類似した部分については、これらの実施形態を参照することができ、各実施形態は他の実施形態との差異に焦点を当てている。特に、システム実施形態は、基本的には、方法実施形態と同様であり、したがって、簡潔に記述されている。関連した部分については、方法実施形態における一部の記述を参照することができる。
【０１７８】
以上の説明は、本発明の実施態様であり、本発明の保護範囲を限定するためのものではない。本発明の趣旨および原理を逸脱することなくなされるあらゆる改変、等価の置換、および改善は、本発明の保護範囲内に含まれるものである。
【符号の説明】
【０１７９】
410  受信部
420  実行部
510  無線送受信機
520  プロセッサ
610  生成部
620  送信部
710  送受信機
720  プロセッサ
【図１Ａ】
2016526849.tif 000003
【図１Ｂ】
2016526849.tif 000004
【図２Ａ】
2016526849.tif 000005
【図２Ｂ】
2016526849.tif 000006
【図２Ｃ】
2016526849.tif 000007
【図３Ａ】
2016526849.tif 000008
【図３Ｂ】
2016526849.tif 000009
【図４】
2016526849.tif 000010
【図５】
2016526849.tif 000011
【図６】
2016526849.tif 000012
【図７】
2016526849.tif 000013
【手続補正書】
【提出日】平成28年2月18日(2016.2.18)
【手続補正１】
【補正対象書類名】明細書
【補正対象項目名】全文
【補正方法】変更
【補正の内容】
【発明の詳細な説明】
【技術分野】
【０００１】
本発明は通信技術の分野に関し、詳細には、セル状況変更方法、ユーザ機器（User Equipment、UE）、および基地局に関する。
【背景技術】
【０００２】
通信システムのスペクトル効率およびユーザスループットを向上させるために、セルアグリゲーション技術とも呼ばれるキャリアアグリゲーション（Carrier Aggregation、CA）技術が、ロング・ターム・エボルーション・アドバンスト（Advanced Long Term Evolution、LTE-A）システムに導入される。CA技術は、高速データ伝送を実現するように、UEが複数のセルを用いてアップリンク通信とダウンリンク通信を同時に行うことを可能にする。
【０００３】
先行技術には、基地局内部のCAが含まれる。すなわち、1台のUEについてそのUEによって集約されるサービングセルがすべて同じ基地局に属し、当該基地局は、基地局に属するサービングセルをアクティブ化し、または非アクティブ化するように、アクティブ化コマンドまたは非アクティブ化コマンドをUEへ送付する。しかし、基地局間のCAでは、1台のUEによって集約されるサービングセルが異なる基地局に属する場合もあり、異なる基地局中の1台の基地局が、一般に、UEのマスタ基地局として働き、別の基地局がUEのセカンダリ基地局として働く。キャリアアグリゲーション時に複数の基地局に属するサービングセルのアクティブ化または非アクティブ化をどのように管理すべきかが、本業界において解決が期待される問題である。
【発明の概要】
【０００４】
本発明の実施形態は、キャリアアグリゲーション時に複数の基地局に属するサービングセルのアクティブ化または非アクティブ化を管理するように、セル状況変更方法、UE、および基地局を提供する。
【０００５】
前述の技術的問題を解決するために、本発明の実施形態においては以下の技術的解決策が開示される。
【課題を解決するための手段】
【０００６】
第1の態様によれば、セル状況変更方法が提供され、本方法は、
ユーザ機器がマスタ基地局によって送信された第1の指示を受信するステップであって、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う、受信するステップと、
ユーザ機器が、第1の指示に従って第1のセルもしくは第2のセルのアクティブ化を行い、または第1の指示に従って第1のセルもしくは第2のセルの非アクティブ化を行うステップと
を含む。
【０００７】
第1の態様に関連して、第1の態様の第1の可能な実施態様において、第1の指示が、マスタ基地局の第1のセルの状況変更を指示するのに使用される場合に、ユーザ機器は第1の指示に従って第1のセルのアクティブ化または非アクティブ化を行い、本方法は、
ユーザ機器がセカンダリ基地局によって送信された第2の指示を受信するステップであって、第2の指示はセカンダリ基地局の第2のセルの状況変更を指示するのに使用される、受信するステップと、
ユーザ機器が第2の指示に従って第2のセルのアクティブ化または非アクティブ化を行うステップと
をさらに含む。
【０００８】
第1の態様の第1の可能な実施態様に関連して、第1の態様の第2の可能な実施態様において、ユーザ機器が第1の指示に従って第1のセルのアクティブ化または非アクティブ化を行うステップは具体的には、
第1の指示が第1の媒体アクセス制御制御要素（MAC  CE）である場合に、ユーザ機器が、第1のMAC  CE内の第1のセルの状況識別子に従って、第1のセルのアクティブ化または非アクティブ化を行うことを決定するステップ
を含み、ユーザ機器が第2の指示に従って第2のセルのアクティブ化または非アクティブ化を行うステップは具体的には、
第2の指示が第2のMAC  CEである場合に、ユーザ機器が、第2のMAC  CE内の第2のセルの状況識別子に従って、第2のセルのアクティブ化または非アクティブ化を行うことを決定するステップ
を含む。
【０００９】
第1の態様の第2の可能な実施態様に関連して、第1の態様の第3の可能な実施態様において、ユーザ機器が、第1のMAC  CE内の第1のセルの状況識別子に従って、第1のセルのアクティブ化または非アクティブ化を行うことを決定するステップは具体的には、
ユーザ機器が、ビットマップ内のものであり、第1のMAC  CE内の第1のセルのセルインデックスに対応するビットに従って、第1のセルのアクティブ化または非アクティブ化を行うことを決定するステップ
を含み、ユーザ機器が、第2のMAC  CE内の第2のセルの状況識別子に従って、第2のセルのアクティブ化または非アクティブ化を行うことを決定するステップは具体的には、
ユーザ機器が、ビットマップ内のものであり、第2のMAC  CE内の第2のセルのセルインデックスに対応するビットに従って、第2のセルのアクティブ化または非アクティブ化を行うことを決定するステップ
を含む。
【００１０】
第1の態様の第3の可能な実施態様に関連して、第1の態様の第4の可能な実施態様において、第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、本方法は、
ユーザ機器が、受信された第1の指示に従って、第1のセルがマスタ基地局に対応することを識別し、第1のセルのセルインデックスに対応するビットが有効であると決定するステップと、
ユーザ機器が、受信された第2の指示に従って、第2のセルがセカンダリ基地局に対応することを識別し、第2のセルのセルインデックスに対応するビットが有効であると決定するステップと
をさらに含む。
【００１１】
第1の態様に関連して、第1の態様の第5の可能な実施態様において、第1の指示がマスタ基地局の第1のセルの状況変更を指示するのに使用される場合に、第1の指示は、セカンダリ基地局の第2のセルの状況変更を指示するのにさらに使用され、本方法は、
ユーザ機器が、第1の指示に従って第1のセルのアクティブ化または非アクティブ化を行い、第1の指示に従って第2のセルのアクティブ化または非アクティブ化を行うステップ
をさらに含む。
【００１２】
第1の態様の第5の可能な実施態様に関連して、第1の態様の第6の可能な実施態様において、ユーザ機器が、第1の指示に従って第1のセルのアクティブ化または非アクティブ化を行い、第1の指示に従って第2のセルのアクティブ化または非アクティブ化を行うステップは具体的には、
第1の指示が媒体アクセス制御制御要素（MAC  CE）である場合に、ユーザ機器が、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定するステップ
を含む。
【００１３】
第1の態様の第6の可能な実施態様に関連して、第1の態様の第7の可能な実施態様において、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、
ユーザ機器が、MAC  CE内の第1のセルの状況識別子に従って、第1のセルのアクティブ化または非アクティブ化を行うことを決定するステップは具体的には、
ユーザ機器が、ビットマップ内のものであり、MAC  CE内の第1のセルのセルインデックスに対応するビットに従って、第1のセルのアクティブ化または非アクティブ化を行うことを決定するステップ
を含み、ユーザ機器が、MAC  CE内の第2のセルの状況識別子に従って、第2のセルのアクティブ化または非アクティブ化を行うことを決定するステップは具体的には、
ユーザ機器が、ビットマップ内のものであり、MAC  CE内の第2のセルのセルインデックスに対応するビットに従って、第2のセルのアクティブ化または非アクティブ化を行うことを決定するステップ
を含む。
【００１４】
第1の態様の第6の可能な実施態様に関連して、第1の態様の第8の可能な実施態様において、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、
ユーザ機器が、MAC  CE内の第1のセルの状況識別子に従って、第1のセルのアクティブ化または非アクティブ化を行うことを決定するステップは具体的には、
ユーザ機器が、ビットマップ内のものであり、MAC  CE内の第1のセルのセルインデックスに対応するビットに従って、第1のセルのアクティブ化または非アクティブ化を行うことを決定するステップ
を含み、ユーザ機器が、MAC  CE内の第2のセルの状況識別子に従って、第2のセルのアクティブ化または非アクティブ化を行うことを決定するステップは具体的には、
ユーザ機器が、ビットマップ内のものであり、MAC  CE内の第2のセルのセルインデックスに対応するビットに従って、第2のセルのアクティブ化または非アクティブ化を行うことを決定するステップ
を含む。
【００１５】
第2の態様によれば、セル状況変更方法が提供され、本方法は、
ユーザ機器のマスタ基地局が第1の指示を生成するステップであって、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う、生成するステップと、
ユーザ機器が、第1の指示に従って第1のセルもしくは第2のセルのアクティブ化を行い、または第1の指示に従って第1のセルもしくは第2のセルの非アクティブ化を行うように、マスタ基地局が第1の指示をユーザ機器へ送信するステップと
を含む。
【００１６】
第2の態様に関連して、第2の態様の第1の可能な実施態様において、第1の指示は第1の媒体アクセス制御制御要素であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【００１７】
第2の態様の第1の可能な実施態様に関連して、第2の態様の第2の可能な実施態様において、本方法は、
マスタ基地局がマスタ基地局の第1のセルのセルインデックスに付番するステップであって、第1のセルのセルインデックスは、第2のセルのためにセカンダリ基地局によって付番されるセルインデックスと同じであり、または異なり、そのため、ユーザ機器は、受信された第1の指示に従って第1のセルがマスタ基地局に対応することを識別し、第1のセルのセルインデックスに対応するビットが有効であると決定し、受信された第2の指示に従って第2のセルがセカンダリ基地局に対応することを識別し、第2のセルのセルインデックスに対応するビットが有効であると決定する、付番するステップ
をさらに含む。
【００１８】
第2の態様に関連して、第2の態様の第3の可能な実施態様において、第1の指示は、セカンダリ基地局の第2のセルの状況変更を指示するのにさらに使用され、そのため、ユーザ機器は第1の指示に従って第2のセルのアクティブ化または非アクティブ化を行う。
【００１９】
第2の態様の第3の可能な実施態様に関連して、第2の態様の第4の可能な実施態様において、第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００２０】
第2の態様の第4の可能な実施態様に関連して、第2の態様の第5の可能な実施態様において、本方法は、
ユーザ機器が、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定するように、マスタ基地局が第1のセルのセルインデックスと第2のセルのセルインデックスの両方に付番するステップ
をさらに含む。
【００２１】
第2の態様の第4の可能な実施態様に関連して、第2の態様の第6の可能な実施態様において、MAC  CEは、第1のセルのセルインデックス、第2のセルのセルインデックス、第1の基地局の基地局識別情報、および第2の基地局の基地局識別情報をさらに含み、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００２２】
第3の態様によれば、ユーザ機器が提供され、本ユーザ機器は、
マスタ基地局によって送信される第1の指示を受信する受信部であって、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う、受信部と、
受信部によって受信される第1の指示に従って第1のセルもしくは第2のセルのアクティブ化を行い、または受信部によって受信される第1の指示に従って第1のセルもしくは第2のセルの非アクティブ化を行う、実行部と
を含む。
【００２３】
第3の態様に関連して、第1の態様の第3の可能な実施態様において、受信部はさらに、受信される第1の指示がマスタ基地局の第1のセルの状況変更を指示するのに使用される場合に、セカンダリ基地局によって送信される第2の指示を受信し、第2の指示は、セカンダリ基地局の第2のセルの状況変更を指示するのに使用され、
実行部はさらに、受信部によって受信される第1の指示に従って第1のセルのアクティブ化または非アクティブ化を行うときに、受信部によって受信される第2の指示に従って第2のセルのアクティブ化または非アクティブ化を行う。
【００２４】
第3の態様の第1の可能な実施態様に関連して、第3の態様の第2の可能な実施態様において、実行部は具体的には、第1の指示が第1の媒体アクセス制御制御要素（MAC  CE）である場合に、第1のMAC  CE内の第1のセルの状況識別子に従って、第1のセルのアクティブ化または非アクティブ化を行うことを決定し、第2の指示が第2のMAC  CEである場合に、第2のMAC  CE内の第2のセルの状況識別子に従って、第2のセルのアクティブ化または非アクティブ化を行うことを決定する。
【００２５】
第3の態様の第2の可能な実施態様に関連して、第3の態様の第3の可能な実施態様において、実行部は具体的には、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定する。
【００２６】
第3の態様の第3の可能な実施態様に関連して、第3の態様の第4の可能な実施態様において、本ユーザ機器は、
第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、受信部によって受信される第1の指示に従って、第1のセルがマスタ基地局に対応することを識別し、第1のセルのセルインデックスに対応するビットが有効であると決定し、受信部によって受信される第2の指示に従って、第2のセルがセカンダリ基地局に対応することを識別し、第2のセルのセルインデックスに対応するビットが有効であると決定する、識別部
をさらに含む。
【００２７】
第3の態様に関連して、第3の態様の第5の可能な実施態様において、受信部によって受信される第1の指示がマスタ基地局の第1のセルの状況変更を指示する場合に、第1の指示は、セカンダリ基地局の第2のセルの状況変更を指示するのにさらに使用され、
実行部はさらに、受信部によって受信される第1の指示に従って第1のセルのアクティブ化または非アクティブ化を行い、第1の指示に従って第2のセルのアクティブ化または非アクティブ化を行う。
【００２８】
第3の態様の第5の可能な実施態様に関連して、第3の態様の第6の可能な実施態様において、実行部は具体的には、第1の指示が媒体アクセス制御制御要素（MAC  CE）である場合に、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００２９】
第3の態様の第6の可能な実施態様に関連して、第3の態様の第7の可能な実施態様において、実行部は具体的には、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００３０】
第3の態様の第6の可能な実施態様に関連して、第3の態様の第8の可能な実施態様において、受信部によって受信されるMAC  CEは、第1のセルのセルインデックス、第2のセルのセルインデックス、第1の基地局の基地局識別情報、および第2の基地局の基地局識別情報をさらに含み、
実行部は具体的には、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００３１】
第4の態様によれば、基地局が提供され、本基地局は、ユーザ機器のマスタ基地局として働き、
第1の指示を生成する生成部であって、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う、生成部と、
ユーザ機器が、第1の指示に従って第1のセルもしくは第2のセルのアクティブ化を行い、または第1の指示に従って第1のセルもしくは第2のセルの非アクティブ化を行うように、生成部によって生成される第1の指示をユーザ機器へ送信する、送信部と
を含む。
【００３２】
第4の態様に関連して、第4の態様の第1の可能な実施態様において、生成部によって生成される第1の指示は第1の媒体アクセス制御制御要素（MAC  CE）であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【００３３】
第4の態様の第1の可能な実施態様に関連して、第4の態様の第2の可能な実施態様において、本基地局は、
マスタ基地局の第1のセルのセルインデックスに付番する第1の付番部であって、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する、第1の付番部
をさらに含む。
【００３４】
第4の態様に関連して、第4の態様の第3の可能な実施態様において、生成部によって生成される第1の指示は、セカンダリ基地局の第2のセルの状況変更を指示するのにさらに使用され、そのため、ユーザ機器は第1の指示に従って第2のセルのアクティブ化または非アクティブ化を行う。
【００３５】
第4の態様の第3の可能な実施態様に関連して、第4の態様の第4の可能な実施態様において、生成部によって生成される第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００３６】
第4の態様の第4の可能な実施態様に関連して、第4の態様の第5の可能な実施態様において、本基地局は、
ユーザ機器が、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定するように、第1のセルのセルインデックスと第2のセルのセルインデックスの両方に付番する、第2の付番部
をさらに含む。
【００３７】
第4の態様の第4の可能な実施態様に関連して、第4の態様の第6の可能な実施態様において、生成部によって生成されるMAC  CEは、第1のセルのセルインデックス、第2のセルのセルインデックス、第1の基地局の基地局識別情報、および第2の基地局の基地局識別情報をさらに含み、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００３８】
第5の態様によれば、ユーザ機器が提供され、本ユーザ機器は、無線送受信機とプロセッサとを含み、
無線送受信機は、マスタ基地局によって送信される第1の指示を受信し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行い、
プロセッサは、第1の指示に従って第1のセルもしくは第2のセルのアクティブ化を行い、または第1の指示に従って第1のセルもしくは第2のセルの非アクティブ化を行う。
【００３９】
第5の態様に関連して、第5の態様の第3の可能な実施態様において、無線送受信機はさらに、受信される第1の指示がマスタ基地局の第1のセルの状況変更を指示するのに使用される場合に、セカンダリ基地局によって送信される第2の指示を受信し、第2の指示は、セカンダリ基地局の第2のセルの状況変更を指示するのに使用され、
プロセッサはさらに、第1の指示に従って第1のセルのアクティブ化または非アクティブ化を行うときに、第2の指示に従って第2のセルのアクティブ化または非アクティブ化を行う。
【００４０】
第5の態様の第1の可能な実施態様に関連して、第5の態様の第2の可能な実施態様において、プロセッサは具体的には、第1の指示が第1の媒体アクセス制御制御要素（MAC  CE）である場合に、第1のMAC  CE内の第1のセルの状況識別子に従って、第1のセルのアクティブ化または非アクティブ化を行うことを決定し、第2の指示が第2のMAC  CEである場合に、第2のMAC  CE内の第2のセルの状況識別子に従って、第2のセルのアクティブ化または非アクティブ化を行うことを決定する。
【００４１】
第5の態様の第2の可能な実施態様に関連して、第5の態様の第3の可能な実施態様において、プロセッサは具体的には、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定する。
【００４２】
第5の態様の第3の可能な実施態様に関連して、第5の態様の第4の可能な実施態様において、プロセッサはさらに、第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、第1の指示に従って、第1のセルがマスタ基地局に対応することを識別し、第1のセルのセルインデックスに対応するビットが有効であると決定し、第2の指示に従って、第2のセルがセカンダリ基地局に対応することを識別し、第2のセルのセルインデックスに対応するビットが有効であると決定する。
【００４３】
第5の態様に関連して、第5の態様の第5の可能な実施態様において、プロセッサはさらに、第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、第1の指示に従って、第1のセルがマスタ基地局に対応することを識別し、第1のセルのセルインデックスに対応するビットが有効であると決定し、第2の指示に従って、第2のセルがセカンダリ基地局に対応することを識別し、第2のセルのセルインデックスに対応するビットが有効であると決定する。
【００４４】
第5の態様の第5の可能な実施態様に関連して、第5の態様の第6の可能な実施態様において、プロセッサは具体的には、第1の指示が媒体アクセス制御制御要素（MAC  CE）である場合に、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００４５】
第5の態様の第6の可能な実施態様に関連して、第5の態様の第7の可能な実施態様において、プロセッサは具体的には、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００４６】
第5の態様の第6の可能な実施態様に関連して、第5の態様の第8の可能な実施態様において、無線送受信機によって受信されるMAC  CEは、第1のセルのセルインデックス、第2のセルのセルインデックス、第1の基地局の基地局識別情報、および第2の基地局の基地局識別情報をさらに含み、
プロセッサは具体的には、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００４７】
第6の態様によれば、基地局が提供され、本基地局は、ユーザ機器のマスタ基地局として働き、送受信機とプロセッサとを含み、
プロセッサは第1の指示を生成し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行い、
送受信機は、ユーザ機器が、第1の指示に従って第1のセルもしくは第2のセルのアクティブ化を行い、または第1の指示に従って第1のセルもしくは第2のセルの非アクティブ化を行うように、第1の指示をユーザ機器へ送信する。
【００４８】
第6の態様に関連して、第6の態様の第1の可能な実施態様において、プロセッサによって生成される第1の指示は第1の媒体アクセス制御制御要素（MAC  CE）であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【００４９】
第6の態様の第1の可能な実施態様に関連して、第6の態様の第2の可能な実施態様において、プロセッサはさらに、マスタ基地局の第1のセルのセルインデックスに付番し、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する。
【００５０】
第6の態様に関連して、第6の態様の第3の可能な実施態様において、プロセッサによって生成される第1の指示は、セカンダリ基地局の第2のセルの状況変更を指示するのにさらに使用され、そのため、ユーザ機器は第1の指示に従って第2のセルのアクティブ化または非アクティブ化を行う。
【００５１】
第6の態様の第3の可能な実施態様に関連して、第6の態様の第4の可能な実施態様において、プロセッサによって生成される第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００５２】
第6の態様の第4の可能な実施態様に関連して、第6の態様の第5の可能な実施態様において、プロセッサはさらに、第1のセルのセルインデックスと第2のセルのセルインデックスの両方に付番し、そのため、ユーザ機器は、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００５３】
第6の態様の第4の可能な実施態様に関連して、第6の態様の第6可能な実施態様において、プロセッサによって生成されるMAC  CEは、第1のセルのセルインデックス、第2のセルのセルインデックス、第1の基地局の基地局識別情報、および第2の基地局の基地局識別情報をさらに含み、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００５４】
本発明の実施形態においては、UEが、マスタ基地局の第1のセルの状況変更を指示し、またはセカンダリ基地局の第2のセルの状況変更を指示するのに使用される、マスタ基地局によって送信される第1の指示を受信し、第1の指示に従って第1のセルもしくは第2のセルのアクティブ化を行い、または第1の指示に従って第1のセルもしくは第2のセルの非アクティブ化を行う。本発明の実施形態においては、マスタ基地局とセカンダリ基地局はどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができる。これにより、キャリアアグリゲーション時に複数の基地局に属するサービングセルのアクティブ化または非アクティブ化の管理が実現される。
【００５５】
本発明の実施形態における、または先行技術における技術的解決策をより明確に説明するために、以下で、各実施形態または先行技術を説明するのに必要とされる添付の図面について簡単に記述する。明らかに、以下の説明の添付の図面は本発明のいくつかの実施形態を示すにすぎず、当業者はこれら添付の図面から難なく他の図面をさらに導出することができる。
【図面の簡単な説明】
【００５６】
【図１Ａ】本発明によるセル状況変更方法の一実施形態の流れ図である。
【図１Ｂ】本発明によるセル状況変更方法の別の実施形態の流れ図である。
【図２Ａ】本発明の方法実施形態に適用される基地局間のCAのアーキテクチャの概略図である。
【図２Ｂ】本発明によるセル状況変更方法の別の実施形態の流れ図である。
【図２Ｃ】本発明の一実施形態によるMAC  CEの概略的構造図である。
【図３Ａ】本発明の方法実施形態に適用される基地局間のCAの別のアーキテクチャの概略図である。
【図３Ｂ】本発明によるセル状況変更方法の別の実施形態の流れ図である。
【図４】本発明によるユーザ機器の一実施形態のブロック図である。
【図５】本発明によるユーザ機器の別の実施形態のブロック図である。
【図６】本発明による基地局の一実施形態のブロック図である。
【図７】本発明による基地局の別の実施形態のブロック図である。
【発明を実施するための形態】
【００５７】
本発明の以下の実施形態は、UEがCA時に複数の基地局に属するサービングセルのアクティブ化または非アクティブ化を管理することができるように、セル状況変更方法、UE、および基地局を提供する。
【００５８】
当業者に本発明の実施形態における技術的解決策をよりよく理解させ、本発明の実施形態の前述の目的、特徴、および利点をより明確に、より理解しやすくするために、以下で本発明の実施形態における技術的解決策を、添付の図面に関連して詳細にさらに説明する。
【００５９】
図1Aを参照すると、図1Aは、本発明によるセル状況変更方法の一実施形態の流れ図である。本実施形態においては、セル状況変更プロセスが、ユーザ機器側の観点から説明される。
【００６０】
ステップ101：ユーザ機器がマスタ基地局によって送信された第1の指示を受信する。第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【００６１】
第1の任意選択の実施態様において、ユーザ機器は、マスタ基地局の第1のセルの状況変更を指示するのに使用される、マスタ基地局によって送信される第1の指示を受信し、またユーザ機器は、セカンダリ基地局の第2のセルの状況変更を指示するのに使用される、セカンダリ基地局によって送信される第2の指示を受信する。第1の指示は第1の媒体アクセス制御制御要素（Media Access Control Control Element、MAC  CE）とすることができ、第2の指示は第2のMAC  CEとすることができる。MAC  CE内の各ビットは、各ビットによって指示されるセルインデックスに対応するセルのアクティブ状態または非アクティブ状態を指示するビット値を搬送するのに使用される。
【００６２】
さらに、本実施形態においては、第1のセルのセルインデックスおよび第2のセルのセルインデックスに、マスタ基地局およびセカンダリ基地局によってそれぞれ付番することができ、または第1のセルのセルインデックスは第2のセルのセルインデックスと同じである。それに対応して、ユーザ機器は、受信される第1の指示に従って、第1のセルはマスタ基地局に対応することを識別し、第1のセルのセルインデックスに対応するビットが有効であると決定することができ、またユーザ機器は、受信される第2の指示に従って、第2のセルはセカンダリ基地局に対応することを識別し、第2のセルのセルインデックスに対応するビットが有効であると決定することができる。
【００６３】
第2の任意選択の実施態様において、ユーザ機器は、マスタ基地局によって送信される第1の指示を受信し、第1の指示は、マスタ基地局の第1のセルの状況変更を指示し、セカンダリ基地局の第2のセルの状況変更を指示するのに使用される。第1の指示は媒体アクセス制御制御要素（MAC  CE）であり、MAC  CE内の各ビットは、各ビットによって指示されるセルインデックスに対応するセルのアクティブ状態または非アクティブ状態を指示するビット値を搬送するのに使用される。
【００６４】
ステップ102：ユーザ機器は、第1の指示に従って第1のセルもしくは第2のセルのアクティブ化を行い、または第1の指示に従って第1のセルもしくは第2のセルの非アクティブ化を行う。
【００６５】
ステップ101の第1の任意選択の実施態様では、ユーザ機器は、第1の指示に従って第1のセルのアクティブ化または非アクティブ化を行い、第2の指示に従って第2のセルのアクティブ化または非アクティブ化を行う。ユーザ機器は、第1のMAC  CE内の第1のセルの状況識別子に従って、第1のセルのアクティブ化または非アクティブ化を行うことを決定し、第2のMAC  CE内の第2のセルの状況識別子に従って、第2のセルのアクティブ化または非アクティブ化を行うことを決定することができる。具体的には、ユーザ機器は、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定することができる。
【００６６】
ステップ101の第2の任意選択の実施態様では、ユーザ機器は、第1の指示に従って第1のセルのアクティブ化または非アクティブ化を行い、第1の指示に従って第2のセルのアクティブ化または非アクティブ化を行う。ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定することができる。
【００６７】
さらに、第1のセルのセルインデックスと第2のセルのセルインデックスの両方に、マスタ基地局もしくはセカンダリ基地局によって付番することもでき、または第1のセルのセルインデックスは第2のセルのセルインデックスと異なる。具体的には、ユーザ機器は、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００６８】
あるいはさらに、MAC  CEは、第1のセルのセルインデックス、第2のセルのセルインデックス、第1の基地局の基地局識別情報、および第2の基地局の基地局識別情報をさらに含む。具体的には、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００６９】
前述の実施形態から、本実施形態は、マスタ基地局とセカンダリ基地局がどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができるシナリオに適用されることが分かる。これにより、キャリアアグリゲーション時に複数の基地局に属するサービングセルのアクティブ化または非アクティブ化の管理が実現される。
【００７０】
図1Bを参照すると、図1Bは、本発明によるセル状況変更方法の別の実施形態の流れ図である。本実施形態においては、セル状況変更プロセスが、基地局側の観点から説明される。
【００７１】
ステップ111：ユーザ機器のマスタ基地局が第1の指示を生成する。第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【００７２】
第1の任意選択の実施態様において、第1の指示は第1の媒体アクセス制御制御要素（MAC  CE）とすることができ、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【００７３】
さらに、マスタ基地局は、マスタ基地局の第1のセルのセルインデックスに付番することができ、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する。
【００７４】
第2の任意選択の実施態様において、第1の指示は、セカンダリ基地局の第2のセルの状況変更を指示するのにさらに使用することができ、そのため、ユーザ機器は第1の指示に従って第2のセルのアクティブ化または非アクティブ化を行う。具体的には、第1の指示は第1の媒体アクセス制御制御要素（MAC  CE）とすることができ、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【００７５】
マスタ基地局は、第1のセルのセルインデックスと第2のセルのセルインデックスの両方に付番することができ、そのため、ユーザ機器は、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【００７６】
あるいは、マスタ基地局によって生成されるMAC  CEは、第1のセルのセルインデックス、第2のセルのセルインデックス、第1の基地局の基地局識別情報、および第2の基地局の基地局識別情報をさらに含むことができ、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【００７７】
ステップ112：マスタ基地局は、ユーザ機器が、第1の指示に従って第1のセルもしくは第2のセルのアクティブ化を行い、または第1の指示に従って第1のセルもしくは第2のセルの非アクティブ化を行うように、第1の指示をユーザ機器へ送信する。
【００７８】
前述の実施形態から、本実施形態は、マスタ基地局とセカンダリ基地局がどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができるシナリオに適用されることが分かる。これにより、キャリアアグリゲーション時に複数の基地局に属するサービングセルのアクティブ化または非アクティブ化の管理が実現される。
【００７９】
図2Aを参照すると、図2Aは、本発明の方法実施形態に適用される基地局間のCAのアーキテクチャの概略図である。
【００８０】
例を用いて説明を容易にするために、ユーザ機器にサービスする、図2Aに示されている基地局は、1台のマスタ基地局と1台のセカンダリ基地局とを含む。実際の適用では、ユーザ機器にサービスする基地局は1つまたは複数のセカンダリ基地局を含むことができ、これについて図2Aに示す実施形態においては限定されない。図2Aでは、マスタ基地局とセカンダリ基地局とは、アクティブ化コマンドまたは非アクティブ化コマンドをUEへ別々に送付し、マスタ基地局とセカンダリ基地局とは、それぞれのセルのアクティブ状態または非アクティブ状態を相互に交換することができる。
【００８１】
図2Bを参照すると、図2Bには、本発明によるセル状況変更方法の別の実施形態が示されている。UEがセル状況を変更するプロセスを、図2Aに関連して本実施形態において詳細に説明する。
【００８２】
ステップ201：マスタ基地局は、UEのものであり、マスタ基地局に属するサービングセルのアクティブ状態または非アクティブ状態を決定する。
【００８３】
本実施形態においては、UEのマスタ基地局がUEとの接続関係を確立した後で、マスタ基地局に属するいくつかのセルがUEのサービングセルになり、マスタ基地局は、UEのUE  IDとサービングセルのセルインデックスとの間の対応関係を記録し、各サービングセルのアクティブ状態または非アクティブ状態を記録する。
【００８４】
マスタ基地局がUEのサービングセルのアクティブ状態または非アクティブ状態を制御することが必要になると、UEのものであり、マスタ基地局に属する各サービングセルのアクティブ状態または非アクティブ状態を決定することができる。例えば、すべてのサービングセルのアクティブ状態または非アクティブ状態を決定することもでき、そのアクティブ状態または非アクティブ状態が変更されるサービングセルのアクティブ状態または非アクティブ状態だけを決定することもできる。
【００８５】
ステップ202：マスタ基地局はUEへ、UEのものであり、マスタ基地局に属するサービングセルのアクティブ状態または非アクティブ状態の変更を含むアクティブ化コマンドのまたは非アクティブ化コマンドを送付する。
【００８６】
マスタ基地局によって送付されるアクティブ化コマンドまたは非アクティブ化コマンドは、具体的には、MAC  CEとすることができ、MAC  CEは、ビットマップ内の7ビットを用いて、マスタ基地局に属する7つのサービングセルのアクティブ状態または非アクティブ状態を指示することができる。すなわち、ビットマップ内の各ビットを、各ビットによって指示されるセルインデックスに対応するサービングセルのアクティブ状態または非アクティブ状態を指示するビット値を搬送するのに使用することができる。本実施形態においては、セルインデックスは、マスタ基地局およびセカンダリ基地局のそれぞれのセルについてマスタ基地局およびセカンダリ基地局によって単独で構成されるセルインデックスとすることができ、したがって、マスタ基地局のサービングセルのセルインデックスがセカンダリ基地局のいくつかのサービングセルのセルインデックスと同じである場合もあり、あるいは、セルインデックスは、マスタ基地局およびセカンダリ基地局に属するすべてのセルについてマスタ基地局またはセカンダリ基地局によって構成されるセルインデックスとすることもでき、したがって、マスタ基地局およびセカンダリ基地局のすべてのセルのエルインデックスが異なりうる。
【００８７】
図2Cを参照すると、図2Cは、本発明の一実施形態によるMAC  CEの概略的構造図である。MAC  CEは8つのビット・マップ・ビットを含み、これらのビットは、異なるサービングセルに対応するアクティブ状態または非アクティブ状態を表す7つのビットCj（jは1から7と等しい）と、1つの予約ビット（R）である。本実施形態においては、マスタ基地局がセルインデックスをマスタ基地局だけのサービングセルに割り振る場合には、すなわち、1つのセルが追加されるときに、マスタ基地局は当該セルに1つのセルインデックスを割り振り、図2Cに示す各Cjのビット値は、マスタ基地局に属し、Cjに対応するセルインデックスによって指示されるセルのアクティブ状態または非アクティブ状態を表す。マスタ基地局またはセカンダリ基地局がすべてのサービングセルにセルインデックスを割り振る場合には、Cj内のあるビット値に対応するセルインデックスはマスタ基地局に属するセルのアクティブ状態または非アクティブ状態を指示し、あるビット値に対応するセルインデックスはセカンダリ基地局に属するセルのアクティブ状態または非アクティブ状態を指示する。ビットごとに、ビット値が0であると仮定される場合には、当該ビットに対応するサービングセルが非アクティブ状態であると決定することができ、ビット値が1である場合には、当該ビットに対応するサービングセルがアクティブ状態であると決定することができる。
【００８８】
ステップ203：UEは、アクティブ化コマンドまたは非アクティブ化コマンドを送信するマスタ基地局を識別する。
【００８９】
本実施形態においては、UEは事前にセルインデックスと基地局との間の対応関係を保存し、サービングセルを用いてマスタ基地局によって送付されるアクティブ化コマンドもしくは非アクティブ化コマンドを受信した後で、UEは、アクティブ化コマンドもしくは非アクティブ化コマンドを送信するサービングセルのセルインデックスに従って、セルインデックスに対応する基地局がマスタ基地局であることを知ることができ、あるいは、UEは、マスタ基地局のものであり、アクティブ化コマンドもしくは非アクティブ化コマンドで搬送される基地局IDに従って、アクティブ化コマンドもしくは非アクティブ化コマンドを送信するサービング基地局がマスタ基地局であることを直接識別することもできる。
【００９０】
ステップ204：UEは、マスタ基地局に属するサービングセルのアクティブ化または非アクティブ化を行う。
【００９１】
ステップ202および図2Cを参照に関連して、マスタ基地局がマスタ基地局だけのセルについてのセルインデックスを構成する場合には、MAC  CEのビットマップ内のすべてのビットがマスタ基地局に属するセルに対応し、UEは、MAC  CE内の各ビットのビット値を読み取り、次いで、ビット値によって指示されるアクティブ状態または非アクティブ状態に従って、マスタ基地局に属し、ビットに対応するセルインデックスによって指示されるサービングセルのアクティブ化または非アクティブ化を行うことができることが分かる。
【００９２】
ステップ202および図2Cに関連して、マスタ基地局またはセカンダリ基地局がマスタ基地局およびセカンダリ基地局に属するすべてのセルについてのセルインデックスを構成する場合には、MAC  CEのビットマップ内のいくつかのビットがマスタ基地局に属するセルに対応し、UEは、マスタ基地局に属するサービングセルのビットだけを読み取り、他のビットを無視することができ、すなわち、マスタ基地局に属するサービングセルのセルインデックスに対応するビットだけが有効であり、UEは、読み取られるビットのビット値によって指示されるアクティブ状態または非アクティブ状態に従って、マスタ基地局に属し、各ビットに対応するセルインデックスによって指示されるサービングセルのアクティブ化または非アクティブ化を行うことができることが分かる。
【００９３】
ステップ205：セカンダリ基地局は、UEのものであり、セカンダリ基地局に属するサービングセルのアクティブ状態または非アクティブ状態を決定する。
【００９４】
本実施形態においては、UEのセカンダリ基地局がUEとの接続関係を確立した後で、セカンダリ基地局に属するいくつかのセルがUEのサービングセルになり、セカンダリ基地局は、UEのUE  IDとサービングセルのセルインデックスとの間の対応関係を記録し、各サービングセルのアクティブ状態または非アクティブ状態を記録する。
【００９５】
セカンダリ基地局がUEのサービングセルのアクティブ状態または非アクティブ状態を制御することが必要になると、UEのものであり、セカンダリ基地局に属する各サービングセルのアクティブ状態または非アクティブ状態を決定することができる。例えば、すべてのサービングセルのアクティブ状態または非アクティブ状態を決定することもでき、そのアクティブ状態または非アクティブ状態が変更されるサービングセルのアクティブ状態または非アクティブ状態だけを決定することもできる。
【００９６】
ステップ206：セカンダリ基地局はUEへ、UEのものであり、セカンダリ基地局に属するサービングセルのアクティブ状態または非アクティブ状態の変更を含むアクティブ化コマンドまたは非アクティブ化コマンドを送付する。
【００９７】
ステップ202の説明と同様に、セカンダリ基地局によって送付されるアクティブ化コマンドまたは非アクティブ化コマンドは、具体的には、MAC  CEとすることができ、MAC  CEは、ビットマップ内の7ビットを用いて、セカンダリ基地局に属する7つのサービングセルのアクティブ状態または非アクティブ状態を指示することができる。すなわち、ビットマップ内の各ビットを、各ビットによって指示されるセルインデックスに対応するサービングセルのアクティブ状態または非アクティブ状態を指示するビット値を搬送するのに使用することができる。本実施形態においては、セルインデックスは、マスタ基地局およびセカンダリ基地局のそれぞれのセルについてマスタ基地局およびセカンダリ基地局によって単独で構成されるセルインデックスとすることができ、したがって、マスタ基地局のサービングセルのセルインデックスがセカンダリ基地局のいくつかのサービングセルのセルインデックスと同じである場合もあり、あるいは、セルインデックスは、マスタ基地局およびセカンダリ基地局に属するすべてのセルについてマスタ基地局またはセカンダリ基地局によって構成されるセルインデックスとすることもでき、したがって、マスタ基地局およびセカンダリ基地局のすべてのセルのセルインデックスが異なりうる。
【００９８】
MAC  CEのビットマップのものであり、図2Cに示されている概略的構造図をさらに参照する。MAC  CEは8つのビット・マップ・ビットを含み、これらのビットは、異なるサービングセルに対応するアクティブ状態または非アクティブ状態を表す7つのビットCj（jは1から7と等しい）と、1つの予約ビット（R）である。本実施形態においては、セカンダリ基地局がセルインデックスをセカンダリ基地局だけのサービングセルに割り振る場合には、図2Cに示す各Cjのビット値は、セカンダリ基地局に属し、Cjに対応するセルインデックスによって指示されるセルのアクティブ状態または非アクティブ状態を表し、マスタ基地局またはセカンダリ基地局がすべてのサービングセルにセルインデックスを割り振る場合には、Cj内のあるビット値に対応するセルインデックスはマスタ基地局に属するセルのアクティブ状態または非アクティブ状態を指示し、あるビット値に対応するセルインデックスはセカンダリ基地局に属するセルのアクティブ状態または非アクティブ状態を指示する。
【００９９】
ステップ207：UEは、アクティブ化コマンドまたは非アクティブ化コマンドを送信するセカンダリ基地局を識別する。
【０１００】
ステップ203の説明と同様に、UEは事前にセルインデックスと基地局との間の対応関係を保存し、サービングセルを用いてセカンダリ基地局によって送付されるアクティブ化コマンドもしくは非アクティブ化コマンドを受信した後で、UEは、アクティブ化コマンドもしくは非アクティブ化コマンドを送信するサービングセルのセルインデックスに従って、セルインデックスに対応する基地局がセカンダリ基地局であることを知ることができ、あるいは、UEは、セカンダリ基地局のものであり、アクティブ化コマンドもしくは非アクティブ化コマンドで搬送される基地局IDに従って、アクティブ化コマンドもしくは非アクティブ化コマンドを送信するサービング基地局がセカンダリ基地局であることを直接識別することもできる。
【０１０１】
ステップ208：UEは、セカンダリ基地局に属するサービングセルのアクティブ化または非アクティブ化を行う。
【０１０２】
ステップ206および図2Cに関連して、セカンダリ基地局がセカンダリ基地局だけのセルについてのセルインデックスを構成する場合には、MAC  CEのビットマップ内のすべてのビットがセカンダリ基地局に属するセルに対応し、UEは、MAC  CE内の各ビットのビット値を読み取り、次いで、ビット値によって指示されるアクティブ状態または非アクティブ状態に従って、セカンダリ基地局に属し、ビットに対応するセルインデックスによって指示されるサービングセルのアクティブ化または非アクティブ化を行うことができることが分かる。
【０１０３】
ステップ206および図2Cに関連して、マスタ基地局またはセカンダリ基地局がマスタ基地局およびセカンダリ基地局に属するすべてのセルについてのセルインデックスを構成する場合には、MAC  CEのビットマップ内のいくつかのビットがセカンダリ基地局に属するセルに対応し、UEは、セカンダリ基地局に属するサービングセルのビットだけを読み取り、他のビットを無視することができ、すなわち、セカンダリ基地局に属するサービングセルのセルインデックスに対応するビットだけが有効であり、UEは、読み取られるビットのビット値によって指示されるアクティブ状態または非アクティブ状態に従って、セカンダリ基地局に属し、各ビットに対応するセルインデックスによって指示されるサービングセルのアクティブ化または非アクティブ化を行うことができることが分かる。
【０１０４】
ステップ209：マスタ基地局はセカンダリ基地局へ、UEのものであり、マスタ基地局に属するサービングセルのアクティブ状態または非アクティブ状態を送信する。
【０１０５】
本実施形態においては、マスタ基地局は、UEのサービングセルごとに、アクティブ化タイマまたは非アクティブ化タイマを設定することができ、UEのものであり、マスタ基地局に属するサービングセルのアクティブ化タイマまたは非アクティブ化タイマが切れた後で、マスタ基地局はセカンダリ基地局へ、UEのものであり、マスタ基地局に属するサービングセルのアクティブ状態または非アクティブ状態を送信することができる。
【０１０６】
ステップ210：セカンダリ基地局はマスタ基地局へ、UEのものであり、セカンダリ基地局に属するサービングセルのアクティブ状態または非アクティブ状態を送信する。
【０１０７】
本実施形態においては、セカンダリ基地局は、UEのサービングセルごとに、アクティブ化タイマまたは非アクティブ化タイマを設定することができ、UEのものであり、セカンダリ基地局に属するサービングセルのアクティブ化タイマまたは非アクティブ化タイマが切れた後で、セカンダリ基地局はマスタ基地局へ、UEのものであり、セカンダリ基地局に属するサービングセルのアクティブ状態または非アクティブ状態を送信することができる。
【０１０８】
基地局間のCAのアーキテクチャにおいては、マスタ基地局は、UEによって報告されるチャネル品質情報（Channel Quality Institute、CQI）報告を受信し、マスタ基地局は、UEのすべてのサービングセルのアクティブ状態または非アクティブ状態に従って、CQI報告を復号する必要がある。マスタ基地局が、セカンダリ基地局に属するサービングセルのアクティブ状態または非アクティブ状態を知らない場合には、マスタ基地局は、異なる復号フォーマットを用いてCQI報告を復号する必要がある。本実施形態においては、マスタ基地局は、セカンダリ基地局と対話することによって、セカンダリ基地局に属するサービングセルのアクティブ化または非アクティブ化情報を獲得することができるため、マスタ基地局は、受信されるCQI報告を1つのやり方で復号することができる。すなわち、1つの復号フォーマットがCQI報告を復号するのに使用される。したがって、マスタ基地局の復号効率を向上させることができる。
【０１０９】
前述の実施形態においては、ステップ201からステップ204、ステップ205からステップ208、およびステップ209からステップ210が異なる順序で行われてよく、図2Bの順序は単なる例示にすぎず、本発明の実施形態を限定するためのものではないことに留意すべきである。
【０１１０】
前述の実施形態から、本実施形態は、マスタ基地局とセカンダリ基地局がどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができるシナリオに適用されることが分かる。これにより、キャリアアグリゲーション時に複数の基地局に属するサービングセルのアクティブ化または非アクティブ化の管理が実現される。
【０１１１】
図3Aを参照すると、図3Aは、本発明の方法実施形態に適用される基地局間のCAの別のアーキテクチャの概略図である。
【０１１２】
例を用いて説明を容易にするために、ユーザ機器にサービスする、図3Aに示されている基地局は、1台のマスタ基地局と1台のセカンダリ基地局とを含む。実際の適用では、ユーザ機器にサービスする基地局は1つまたは複数のセカンダリ基地局を含むことができ、これについて図3Aに示す実施形態においては限定されない。図3Aでは、マスタ基地局だけがUEへアクティブ化コマンドまたは非アクティブ化コマンドを送付し、マスタ基地局とセカンダリ基地局とは、それぞれのセルのアクティブ状態または非アクティブ状態を相互に交換することができる。
【０１１３】
図3Bを参照すると、図3Bには、本発明によるセル状況変更方法の別の実施形態が示されている。UEがセル状況を変更するプロセスを、図3Aに関連して本実施形態において詳細に説明する。
【０１１４】
ステップ301：マスタ基地局は、UEのものであり、マスタ基地局に属するサービングセルのアクティブ状態または非アクティブ状態を決定する。
【０１１５】
本実施形態においては、UEのマスタ基地局がUEとの接続関係を確立した後で、マスタ基地局に属するいくつかのセルがUEのサービングセルになり、マスタ基地局は、UEのUE  IDとサービングセルのセルインデックスとの間の対応関係を記録し、各サービングセルのアクティブ状態または非アクティブ状態を記録する。
【０１１６】
マスタ基地局がUEのサービングセルのアクティブ状態または非アクティブ状態を制御することが必要になると、UEのものであり、マスタ基地局に属する各サービングセルのアクティブ状態または非アクティブ状態を決定することができる。例えば、すべてのサービングセルのアクティブ状態または非アクティブ状態を決定することもでき、そのアクティブ状態または非アクティブ状態が変更されるサービングセルのアクティブ状態または非アクティブ状態だけを決定することもできる。
【０１１７】
ステップ302：セカンダリ基地局はマスタ基地局と折衝して、UEのものであり、セカンダリ基地局に属するサービングセルのアクティブ状態または非アクティブ状態を獲得する。
【０１１８】
本実施形態においては、セカンダリ基地局に属するサービングセルをアクティブ化し、または非アクティブ化することを決定する前に、マスタ基地局は、セカンダリ基地局と折衝して、セカンダリ基地局に属するサービングセルのアクティブ状態または非アクティブ状態を獲得することができる。
【０１１９】
加えて任意選択で、マスタ基地局はセカンダリ基地局と折衝できず、代わりにマスタ基地局が、セカンダリ基地局に属するサービングセルのアクティブ状態または非アクティブ状態を決定し、あるいは、UEのサービングセルのアクティブ化タイマまたは非アクティブ化タイマが切れた後で、セカンダリ基地局はマスタ基地局へ、UEのものであり、セカンダリ基地局に属するサービングセルのアクティブ状態または非アクティブ状態を送信することができる。
【０１２０】
ステップ303：マスタ基地局はセカンダリ基地局へ、UEのものであり、マスタ基地局に属するサービングセルのアクティブ状態または非アクティブ状態を送信する。
【０１２１】
本実施形態においては、マスタ基地局は、UEのサービングセルごとに、アクティブ化タイマまたは非アクティブ化タイマを設定することができ、UEのものであり、マスタ基地局に属するサービングセルのアクティブ化タイマまたは非アクティブ化タイマが切れた後で、マスタ基地局はセカンダリ基地局へ、UEのものであり、マスタ基地局に属するサービングセルのアクティブ状態または非アクティブ状態を送信することができる。このステップは任意選択のステップであることに留意すべきである。
【０１２２】
ステップ304：マスタ基地局はUEへアクティブ化コマンドまたは非アクティブ化コマンドを送信する。アクティブ化コマンドまたは非アクティブ化コマンドは、UEのものであり、マスタ基地局およびセカンダリ基地局に属するサービングセルのアクティブ状態または非アクティブ状態を搬送する。
【０１２３】
本実施形態においては、マスタ基地局によって送付されるアクティブ化コマンドまたは非アクティブ化コマンドは、具体的には、MAC  CEとすることができる。MAC  CEの具体的構造については、図2Cを参照されたい。MAC  CEは、ビットマップ内の7ビットを用いて、マスタ基地局およびセカンダリ基地局に属する7つのサービングセルのアクティブ状態または非アクティブ状態を指示することができる。すなわち、ビットマップ内の各ビットを、各ビットによって指示されるセルインデックスに対応するサービングセルのアクティブ状態または非アクティブ状態を指示するビット値を搬送するのに使用することができる。本実施形態においては、セルインデックスは、マスタ基地局およびセカンダリ基地局に属するすべてのセルについてのマスタ基地局またはセカンダリ基地局によって構成されるセルインデックスとすることができ、したがって、マスタ基地局およびセカンダリ基地局のすべてのセルのセルインデックスが異なりうる。
【０１２４】
加えて、サービングセルのアクティブ状態または非アクティブ状態をビットマップの形で搬送することに加えて、本実施形態のMAC  CEは、マスタ基地局のサービングセルのセルインデックス、マスタ基地局識別情報、マスタ基地局に属するサービングセルの状況識別子、セカンダリ基地局のサービングセルのセルインデックス、セカンダリ基地局識別情報、およびセカンダリ基地局に属するサービングセルの状況識別子を直接搬送することもでき、そのため、UEは、MAC  CEで搬送されるセルインデックス、基地局識別情報、およびサービングセルの状態識別情報に従って、異なる基地局に属する異なるサービングセルのアクティブ化または非アクティブ化を直接行うことができる。
【０１２５】
ステップ305：UEは、マスタ基地局およびセカンダリ基地局に属するサービングセルのアクティブ化または非アクティブ化を行う。
【０１２６】
マスタ基地局がステップ304でMAC  CEのビットマップを用いてアクティブ状態または非アクティブ状態を搬送する場合に、本ステップでは、マスタ基地局によって送付されたMAC  CEを受信した後で、UEは、ビットマップ内の各ビットを読み取り、セルインデックスの構成結果に従って、各ビットに対応するセルインデックスによって指示されるサービングセルを獲得し、読み取られたビットのビット値によって指示されるアクティブ状態または非アクティブ状態に従って、セルインデックスによって指示されるサービングセルのアクティブ化または非アクティブ化を行う。例えば、ビットマップ内の第1のビットは、マスタ基地局のものであり、そのセルインデックスがCELL1であるサービングセル1に対応し、第1のビットのビット値が1であると仮定すると、第1のビットは、マスタ基地局に属するサービングセル1がアクティブ状態であることを指示し、この場合、UEは、マスタ基地局に属するサービングセル1のアクティブ化を行い、ビットマップ内の第2のビットは、セカンダリ基地局のものであり、そのセルインデックスがCELL2であるサービングセル2に対応し、第2のビットのビット値が0であると仮定すると、第2のビットは、セカンダリ基地局に属するサービングセル2が非アクティブ状態であることを指示し、この場合、UEは、セカンダリ基地局に属するサービングセル2の非アクティブ化を行う。
【０１２７】
前述の実施形態から、本実施形態は、マスタ基地局とセカンダリ基地局がどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができるシナリオに適用されることが分かる。これにより、キャリアアグリゲーション時に複数の基地局に属するサービングセルのアクティブ化または非アクティブ化の管理が実現される。
【０１２８】
本発明によるセル状況変更方法の実施形態に対応して、本発明は、本方法実施形態が適用されるユーザ機器および基地局の実施形態をさらに提供する。
【０１２９】
図4を参照すると、図4は、本発明によるユーザ機器の一実施形態のブロック図である。
【０１３０】
本ユーザ機器は、受信部410と実行部420とを含む。
【０１３１】
受信部410は、マスタ基地局によって送信される第1の指示を受信し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【０１３２】
実行部420は、受信部410によって受信される第1の指示に従って第1のセルもしくは第2のセルのアクティブ化を行い、または受信部によって受信される第1の指示に従って第1のセルもしくは第2のセルの非アクティブ化を行う。
【０１３３】
任意選択の一実施態様においては、
受信部410はさらに、受信される第1の指示がマスタ基地局の第1のセルの状況変更を指示するのに使用される場合に、セカンダリ基地局によって送信される第2の指示を受信することができ、第2の指示は、セカンダリ基地局の第2のセルの状況変更を指示するのに使用され、
実行部420はさらに、受信部410によって受信される第1の指示に従って第1のセルのアクティブ化または非アクティブ化を行うときに、受信部によって受信される第2の指示に従って第2のセルのアクティブ化または非アクティブ化を行うことができる。
【０１３４】
実行部420は具体的には、第1の指示が第1の媒体アクセス制御制御要素（MAC  CE）である場合に、第1のMAC  CE内の第1のセルの状況識別子に従って、第1のセルのアクティブ化または非アクティブ化を行うことを決定し、第2の指示が第2のMAC  CEである場合に、第2のMAC  CE内の第2のセルの状況識別子に従って、第2のセルのアクティブ化または非アクティブ化を行うことを決定することができる。
【０１３５】
さらに、実行部420は具体的には、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定することができる。
【０１３６】
さらに、ユーザ機器は、
第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、受信部によって受信される第1の指示に従って、第1のセルがマスタ基地局に対応することを識別し、第1のセルのセルインデックスに対応するビットが有効であると決定し、受信部によって受信される第2の指示に従って、第2のセルがセカンダリ基地局に対応することを識別し、第2のセルのセルインデックスに対応するビットが有効であると決定する、識別部
をさらに含むことができる（図4には示されていない）。
【０１３７】
別の任意選択の実施態様においては、
受信部410によって受信される第1の指示がマスタ基地局の第1のセルの状況変更を指示する場合に、第1の指示は、セカンダリ基地局の第2のセルの状況変更を指示するのにさらに使用され、
実行部420はさらに、受信部410によって受信される第1の指示に従って第1のセルのアクティブ化または非アクティブ化を行い、第1の指示に従って第2のセルのアクティブ化または非アクティブ化を行うことができる。
【０１３８】
実行部420は具体的には、第1の指示が媒体アクセス制御制御要素（MAC  CE）である場合に、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定することができる。
【０１３９】
さらに、実行部420は具体的には、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定することができる。
【０１４０】
受信部410によって受信されるMAC  CEは、第1のセルのセルインデックス、第2のセルのセルインデックス、第1の基地局の基地局識別情報、および第2の基地局の基地局識別情報をさらに含むことができる。
【０１４１】
実行部420は具体的には、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定することができる。
【０１４２】
図5を参照すると、図5は、本発明によるユーザ機器の別の実施形態のブロック図である。
【０１４３】
本UEは、無線送受信機510とプロセッサ520とを含む。
【０１４４】
無線送受信機510は、マスタ基地局によって送信される第1の指示を受信し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【０１４５】
プロセッサ520は、第1の指示に従って第1のセルもしくは第2のセルのアクティブ化を行い、または第1の指示に従って第1のセルもしくは第2のセルの非アクティブ化を行う。
【０１４６】
任意選択の一実施態様においては、
無線送受信機510はさらに、受信される第1の指示がマスタ基地局の第1のセルの状況変更を指示するのに使用される場合に、セカンダリ基地局によって送信される第2の指示を受信することができ、第2の指示は、セカンダリ基地局の第2のセルの状況変更を指示するのに使用され、
プロセッサ520はさらに、第1の指示に従って第1のセルのアクティブ化または非アクティブ化を行うときに、第2の指示に従って第2のセルのアクティブ化または非アクティブ化を行うことができる。
【０１４７】
プロセッサ520は具体的には、第1の指示が第1の媒体アクセス制御制御要素（MAC  CE）である場合に、第1のMAC  CE内の第1のセルの状況識別子に従って、第1のセルのアクティブ化または非アクティブ化を行うことを決定し、第2の指示が第2のMAC  CEである場合に、第2のMAC  CE内の第2のセルの状況識別子に従って、第2のセルのアクティブ化または非アクティブ化を行うことを決定することができる。
【０１４８】
さらに、プロセッサ520は具体的には、ビットマップ内のものであり、第1のMAC  CE内の第1のセルのセルインデックスに対応するビットに従って、第1のセルのアクティブ化または非アクティブ化を行うことを決定し、ビットマップ内のものであり、第2のMAC  CE内の第2のセルのセルインデックスに対応するビットに従って、第2のセルのアクティブ化または非アクティブ化を行うことを決定することができる。
【０１４９】
さらに、プロセッサ520はさらに、第1のセルのセルインデックスおよび第2のセルのセルインデックスが、マスタ基地局およびセカンダリ基地局によってそれぞれ付番され、または第1のセルのセルインデックスが第2のセルのセルインデックスと同じである場合に、第1の指示に従って、第1のセルがマスタ基地局に対応することを識別し、第1のセルのセルインデックスに対応するビットが有効であると決定し、第2の指示に従って、第2のセルがセカンダリ基地局に対応することを識別し、第2のセルのセルインデックスに対応するビットが有効であると決定することができる。
【０１５０】
別の任意選択の実施態様においては、
無線送受信機510によって受信される第1の指示がマスタ基地局の第1のセルの状況変更を指示する場合に、第1の指示は、セカンダリ基地局の第2のセルの状況変更を指示するのにさらに使用され、
プロセッサ520はさらに、第1の指示に従って第1のセルのアクティブ化または非アクティブ化を行い、第1の指示に従って第2のセルのアクティブ化または非アクティブ化を行うことができる。
【０１５１】
プロセッサは520具体的には、第1の指示が媒体アクセス制御制御要素（MAC  CE）である場合に、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定することができる。
【０１５２】
さらに、プロセッサ520は具体的には、第1のセルのセルインデックスと第2のセルのセルインデックスの両方がマスタ基地局もしくはセカンダリ基地局によって付番され、または第1のセルのセルインデックスが第2のセルのセルインデックスと異なる場合に、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定することができる。
【０１５３】
無線送受信機510によって受信されるMAC  CEは、第1のセルのセルインデックス、第2のセルのセルインデックス、第1の基地局の基地局識別情報、および第2の基地局の基地局識別情報をさらに含むことができる。
【０１５４】
プロセッサ520は具体的には、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定することができる。
【０１５５】
図6を参照すると、図6は、本発明による基地局の一実施形態のブロック図であり、本基地局はユーザ機器のマスタ基地局として働く。
【０１５６】
本基地局は、生成部610と送信部620とを含む。
【０１５７】
生成部610は第1の指示を生成し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【０１５８】
送信部620は、ユーザ機器が、第1の指示に従って第1のセルもしくは第2のセルのアクティブ化を行い、または第1の指示に従って第1のセルもしくは第2のセルの非アクティブ化を行うように、生成部610によって生成される第1の指示をユーザ機器へ送信する。
【０１５９】
任意選択の一実施態様においては、
生成部610によって生成される第1の指示は第1の媒体アクセス制御制御要素（MAC  CE）であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【０１６０】
さらに、本基地局は、
マスタ基地局の第1のセルのセルインデックスに付番する第1の付番部であって、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する、第1の付番部
をさらに含むことができる（図6には示されていない）。
【０１６１】
別の任意選択の実施態様においては、
生成部610によって生成される第1の指示は、セカンダリ基地局の第2のセルの状況変更を指示するのにさらに使用され、そのため、ユーザ機器は第1の指示に従って第2のセルのアクティブ化または非アクティブ化を行う。
【０１６２】
生成部610によって生成される第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【０１６３】
さらに、基地局は、
ユーザ機器が、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定するように、第1のセルのセルインデックスと第2のセルのセルインデックスの両方に付番する、第2の付番部
をさらに含むことができる（図6には示されていない）。
【０１６４】
あるいはさらに、生成部610によって生成されるMAC  CEは、第1のセルのセルインデックス、第2のセルのセルインデックス、第1の基地局の基地局識別情報、および第2の基地局の基地局識別情報をさらに含むことができ、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【０１６５】
図7を参照すると、図7は、本発明による基地局の別の実施形態のブロック図であり、本基地局はユーザ機器のマスタ基地局として働く。
【０１６６】
本基地局は、送受信機710とプロセッサ720とを含む。
【０１６７】
プロセッサ720は第1の指示を生成し、第1の指示は、マスタ基地局の第1のセルの状況変更を指示し、またはセカンダリ基地局の第2のセルの状況変更を指示するのに使用され、マスタ基地局とセカンダリ基地局はどちらもユーザ機器にサービスし、キャリアアグリゲーションを行う。
【０１６８】
送受信機710は、ユーザ機器が、第1の指示に従って第1のセルもしくは第2のセルのアクティブ化を行い、または第1の指示に従って第1のセルもしくは第2のセルの非アクティブ化を行うように、第1の指示をユーザ機器へ送信する。
【０１６９】
任意選択の一実施態様においては、
プロセッサ720によって生成される第1の指示は第1の媒体アクセス制御制御要素（MAC  CE）であり、そのため、ユーザ機器は第1のMAC  CE内の第1のセルの状況識別子に従って、第1のセルのアクティブ化または非アクティブ化を行うことを決定し、ユーザ機器は、第2の指示として働き、セカンダリ基地局によって送信される第2のMAC  CEをさらに受信し、そのため、ユーザ機器は、第2のMAC  CE内の第2のセルの状況識別子に従って、第2のセルのアクティブ化または非アクティブ化を行うことを決定する。
【０１７０】
さらに、プロセッサ720はさらに、マスタ基地局の第1のセルのセルインデックスに付番することができ、第1のセルのセルインデックスは、第2のセルのためにセカンダリ基地局によって付番されるセルインデックスと同じであり、または異なり、そのため、ユーザ機器は、受信される第1の指示に従って第1のセルがマスタ基地局に対応することを識別し、第1のセルのセルインデックスに対応するビットが有効であると決定し、受信される第2の指示に従って第2のセルがセカンダリ基地局に対応することを識別し、第2のセルのセルインデックスに対応するビットが有効であると決定する。
【０１７１】
別の任意選択の実施態様においては、
プロセッサ720によって生成される第1の指示は、セカンダリ基地局の第2のセルの状況変更を指示するのにさらに使用され、そのため、ユーザ機器は第1の指示に従って第2のセルのアクティブ化または非アクティブ化を行う。
【０１７２】
さらに、プロセッサ720によって生成される第1の指示は第1の媒体アクセス制御制御要素（MAC  CE）であり、そのため、ユーザ機器は、MAC  CE内の第1のセルの状況識別子に従って、第1のセルのアクティブ化または非アクティブ化を行うことを決定し、MAC  CE内の第2のセルの状況識別子に従って、第2のセルのアクティブ化または非アクティブ化を行うことを決定する。
【０１７３】
プロセッサ720はさらに、第1のセルのセルインデックスと第2のセルのセルインデックスの両方に付番することができ、そのため、ユーザ機器は、ビットマップ内のものであり、MAC  CE内の第1のセルのセルインデックスに対応するビットに従って、第1のセルのアクティブ化または非アクティブ化を行うことを決定し、ビットマップ内のものであり、MAC  CE内の第2のセルのセルインデックスに対応するビットに従って、第2のセルのアクティブ化または非アクティブ化を行うことを決定する。
【０１７４】
あるいは、プロセッサ720によって生成されるMAC  CEは、第1のセルのセルインデックス、第2のセルのセルインデックス、第1の基地局の基地局識別情報、および第2の基地局の基地局識別情報をさらに含むことができ、そのため、ユーザ機器は、MAC  CE内のものである第1のセルのセルインデックス、第1の基地局の基地局識別情報、および第1のセルの状況識別子に従って、第1のセルのアクティブ化または非アクティブ化を行うことを決定し、MAC  CE内のものである第2のセルのセルインデックス、第2の基地局の基地局識別情報、および第2のセルの状況識別子に従って、第2のセルのアクティブ化または非アクティブ化を行うことを決定する。
【０１７５】
本発明の前述の実施形態から、UEが、マスタ基地局の第1のセルの状況変更を指示し、またはセカンダリ基地局の第2のセルの状況変更を指示するのに使用される、マスタ基地局によって送信される第1の指示を受信し、第1の指示に従って第1のセルもしくは第2のセルのアクティブ化を行い、または第1の指示に従って第1のセルもしくは第2のセルの非アクティブ化を行うことが分かる。本発明の実施形態においては、マスタ基地局とセカンダリ基地局はどちらもUEにサービスし、キャリアアグリゲーションを行い、UEは、マスタ基地局によって送信される、受信される第1の指示を用いて、UEにサービスする基地局に属するサービングセルのアクティブ状態または非アクティブ状態を獲得することができ、そのため、すべてのサービングセル上でアクティブ化または非アクティブ化を行うことができる。これにより、キャリアアグリゲーション時に複数の基地局に属するサービングセルのアクティブ化または非アクティブ化の管理が実現される。
【０１７６】
本発明の実施形態における技術は、必要な汎用ハードウェアプラットフォームにソフトウェアを加えたものによって実現することができることを当業者は明確に理解することができる。そうした理解に基づき、本発明の技術的解決策を本質的に、または先行技術に寄与する部分を、ソフトウェア製品の形態で実現することができる。ソフトウェア製品は、ROM／RAM、ハードディスク、光ディスクといった記憶媒体に記憶されており、（パーソナルコンピュータ、サーバ、またはネットワークデバイスとすることができる）コンピュータデバイスに、本発明の実施形態または実施形態の一部に記載されている方法を実行するよう命令するためのいくつかの命令を含む。
【０１７７】
本明細書における実施形態はすべて累進的に記述されており、各実施形態における同じ部分または類似した部分については、これらの実施形態を参照することができ、各実施形態は他の実施形態との差異に焦点を当てている。特に、システム実施形態は、基本的には、方法実施形態と同様であり、したがって、簡潔に記述されている。関連した部分については、方法実施形態における一部の記述を参照することができる。
【０１７８】
以上の説明は、本発明の実施態様であり、本発明の保護範囲を限定するためのものではない。本発明の原理を逸脱することなくなされるあらゆる改変、等価の置換、および改善は、本発明の保護範囲内に含まれるものである。
【符号の説明】
【０１７９】
410  受信部
420  実行部
510  無線送受信機
520  プロセッサ
610  生成部
620  送信部
710  送受信機
720  プロセッサ
【手続補正２】
【補正対象書類名】特許請求の範囲
【補正対象項目名】全文
【補正方法】変更
【補正の内容】
【特許請求の範囲】
【請求項１】
ユーザ機器（UE）が、第1の媒体アクセス制御（MAC）制御要素（CE）を受信するステップと、
前記UEが、マスタ基地局から送信された前記第1のMAC  CEを決定するステップと、
前記マスタ基地局およびセカンダリ基地局のサービスセルのセルインデックスが前記マスタ基地局によって構成される場合に、前記マスタ基地局の第1のサービスセルに対応する、前記第1のMAC  CEのビットインデックス内の第1のビットに従って前記マスタ基地局の前記第1のサービスセルをアクティブ化し、または非アクティブ化し、前記セカンダリ基地局の第2のサービスセルに対応する、前記第1のMAC  CEの前記ビットインデックス内の第2のビットを無視するステップと
を含む、セル状況変更方法。
【請求項２】
UEが第2のMAC  CEを受信するステップと、
前記UEが、前記セカンダリ基地局から送信された前記第2のMAC  CEを決定するステップと、
前記セカンダリ基地局の前記第2のサービスセルに対応する、前記第2のMAC  CEのビットインデックス内の第2のビットに従って前記セカンダリ基地局の前記第2のサービスセルをアクティブ化し、または非アクティブ化し、前記マスタ基地局の前記第1のサービスセルに対応する、前記第2のMAC  CEの前記ビットインデックス内の第1のビットを無視するステップと
をさらに含む、請求項1に記載のセル状況変更方法。
【請求項３】
前記第1のMAC  CEの送信元である前記マスタ基地局のサービングセルの第1のセルインデックスに従って、前記UEは、前記マスタ基地局が前記第1のMAC  CEを送信すると決定する、請求項1または2に記載のセル状況変更方法。
【請求項４】
前記第2のMAC  CEの送信元である前記セカンダリ基地局のサービングセルの第2のセルインデックスに従って、前記UEは、前記セカンダリ基地局が前記第2のMAC  CEを送信すると決定する、請求項2または3に記載のセル状況変更方法。
【請求項５】
前記UEは、前記マスタ基地局の前記第1のサービスセルに対応する、前記第1のMAC  CEの前記ビットインデックス内の前記第1のビットの値を取得し、前記第1のMAC  CEの前記ビットインデックス内の前記第1のビットの前記値によって指示されるアクティブ化状況または非アクティブ化状況に従って、前記マスタ基地局の前記第1のサービスセルをアクティブ化し、または非アクティブ化する、請求項1から4のいずれか一項に記載のセル状況変更方法。
【請求項６】
前記UEは、前記セカンダリ基地局の前記第2のサービスセルに対応する、前記第2のMAC  CEの前記ビットインデックス内の前記第2のビットの値を取得し、
前記第2のMAC  CEの前記ビットインデックス内の前記第2のビットの前記値によって指示されるアクティブ化状況または非アクティブ化状況に従って、前記セカンダリ基地局の前記第2のサービスセルをアクティブ化し、または非アクティブ化する、請求項2から5のいずれか一項に記載のセル状況変更方法。
【請求項７】
マスタ基地局が、第1の媒体アクセス制御（MAC）制御要素（CE）を生成するステップと、
前記マスタ基地局が、前記マスタ基地局およびセカンダリ基地局のサービスセルのセルインデックスを構成するステップと、
ユーザ機器（UE）が、前記第1のMAC  CEは前記マスタ基地局から送信され、前記マスタ基地局の第1のサービスセルに対応する、前記第1のMAC  CEのビットインデックス内の第1のビットに従って、前記マスタ基地局の前記第1のサービスセルをアクティブ化し、または非アクティブ化し、前記セカンダリ基地局の第2のサービスセルに対応する、前記第1のMAC  CEの前記ビットインデックス内の第2のビットを無視すると決定するように、前記マスタ基地局が前記UEへ前記第1のMAC  CEを伝送するステップと
を含む、セル状況変更方法。
【請求項８】
前記第1のビットは、前記第1のビットの値が1であるときにアクティブ化状況を指示し、前記第1のビットの値が0であるときに非アクティブ化状況を指示する、請求項7に記載のセル状況変更方法。
【請求項９】
第1の媒体アクセス制御（MAC）制御要素（CE）を受信する、受信部と、
実行部であって、
マスタ基地局から送信された前記第1のMAC  CEを決定する処理と、
前記マスタ基地局およびセカンダリ基地局のサービスセルのセルインデックスが前記マスタ基地局によって構成される場合に、前記マスタ基地局の第1のサービスセルに対応する、前記第1のMAC  CEのビットインデックス内の第1のビットに従って前記マスタ基地局の前記第1のサービスセルをアクティブ化し、または非アクティブ化し、前記セカンダリ基地局の第2のサービスセルに対応する、前記第1のMAC  CEの前記ビットインデックス内の第2のビットを無視する処理と、
を実行する実行部と
を含む、ユーザ機器（UE）。
【請求項１０】
前記受信部はさらに、第2のMAC  CEを受信し、
前記実行部はさらに、
前記セカンダリ基地局から送信された前記第2のMAC  CEを決定する処理と、
前記セカンダリ基地局の前記第2のサービスセルに対応する、前記第2のMAC  CEのビットインデックス内の第2のビットに従って前記セカンダリ基地局の前記第2のサービスセルをアクティブ化し、または非アクティブ化し、前記マスタ基地局の前記第1のサービスセルに対応する、前記第2のMAC  CEの前記ビットインデックス内の第1のビットを無視する処理と、を実行する
請求項9に記載のUE。
【請求項１１】
前記第1のMAC  CEの送信元である前記マスタ基地局のサービングセルの第1のセルインデックスに従って、前記実行部はさらに、前記マスタ基地局が前記第1のMAC  CEを送信すると決定する、請求項9または10に記載のUE。
【請求項１２】
前記第2のMAC  CEの送信元である前記セカンダリ基地局のサービングセルの第2のセルインデックスに従って、前記実行部はさらに、前記セカンダリ基地局が前記第2のMAC  CEを送信すると決定する、請求項10または11に記載のUE。
【請求項１３】
前記実行部はさらに、
前記マスタ基地局の前記第1のサービスセルに対応する、前記第1のMAC  CEの前記ビットインデックス内の前記第1のビットの値を取得し、
前記第1のMAC  CEの前記ビットインデックス内の前記第1のビットの前記値によって指示されるアクティブ化状況または非アクティブ化状況に従って、前記マスタ基地局の前記第1のサービスセルをアクティブ化し、または非アクティブ化する、
請求項9から12のいずれか一項に記載のUE。
【請求項１４】
前記実行部はさらに、
前記セカンダリ基地局の前記第2のサービスセルに対応する、前記第2のMAC  CEの前記ビットインデックス内の前記第2のビットの値を取得し、
前記第2のMAC  CEの前記ビットインデックス内の前記第2のビットの前記値によって指示されるアクティブ化状況または非アクティブ化状況に従って、前記セカンダリ基地局の前記第2のサービスセルをアクティブ化し、または非アクティブ化する、
請求項10から13のいずれか一項に記載のUE。
【請求項１５】
プロセッサであって、
第1の媒体アクセス制御（MAC）制御要素（CE）を生成し、
マスタ基地局およびセカンダリ基地局のサービスセルのセルインデックスを構成する、
プロセッサと、
ユーザ機器（UE）が、前記第1のMAC  CEが前記マスタ基地局から送信され、前記マスタ基地局の第1のサービスセルに対応する、前記第1のMAC  CEのビットインデックス内の第1のビットに従って、前記マスタ基地局の前記第1のサービスセルをアクティブ化し、または非アクティブ化し、前記セカンダリ基地局の第2のサービスセルに対応する、前記第1のMAC  CEの前記ビットインデックス内の第2のビットを無視すると決定するように、前記UEへ前記第1のMAC  CEを伝送する、送受信機と
を含む、基地局。
【請求項１６】
前記第1のビットは、前記第1のビットの値が1であるときにアクティブ化状況を指示し、前記第1のビットの値が0であるときに非アクティブ化状況を指示する、請求項15に記載の基地局。
【請求項１７】
コンピュータユニットによって実行されると、前記コンピュータユニットに、請求項1から8のいずれか一項に記載のステップを行わせることになるコンピュータ・プログラム・コードを含むコンピュータプログラム。
【請求項１８】
コンピュータユニットによって実行されると、前記コンピュータユニットに、請求項9または10に記載の処理を行わせることになるコンピュータ・プログラム・コードを含むコンピュータプログラム。
【国際調査報告】
2016526849.tif 000014
2016526849.tif 000015
2016526849.tif 000016
2016526849.tif 000017